(57)【要約】【課題】  特定の利用者が装置を占有する事を防ぎ、利用者の回転率を確保し、装置の稼働率を高める。【解決手段】  画像印刷装置１は、プレイを始めるか否かの決定および楽曲の選択を受付ける受付装置６を備える受付部２と、撮影装置７と受付部２で選択された楽曲を再生する第１楽曲演奏装置８とを備える撮影部３と、撮影部３で撮像した撮影画像を利用者が編集し得る編集装置９と受付部２で選択された楽曲を再生する第２楽曲演奏装置１０とを備える編集部４と、編集部４からの編集画像データを出力する出力装置１１を備える出力部５と、受付部２で選択された情報および利用者の撮影画像や編集画像データの一時記録及び転送処理を行う制御部とを有し、撮影部３および編集部４はそれぞれ別の室である撮影室８１および編集室８２に設けられ、利用者が受付部２から撮影部３、編集部４、出力部５へと順次移動して１プレイが完結されるようにしている。【選択図】        図１
2005102102.tif 000002
【特許請求の範囲】
【請求項１】
利用者に対する撮影からその撮影された画像に編集を加えて出力する迄のプレイを始めるか否かの決定およびプレイ条件の設定を受付ける受付装置と、撮影装置と前記利用者が事前に選択した楽曲を音声として出力する第１楽曲演奏装置とを備える撮影部と、前記撮影部で撮像した撮影画像を前記利用者が編集し得る編集装置と前記利用者が事前に選択した楽曲を音声として出力する第２楽曲演奏装置とを備える編集部と、該編集部からの編集画像データを出力する出力装置と、前記受付装置で選択された情報および前記利用者の撮影画像や編集画像データの一時記録及び転送処理を行う制御部とを有し、前記撮影部および前記編集部はそれぞれ別の室である撮影室および編集室に設けられていることを特徴とする楽曲演奏装置付き画像印刷装置。
【請求項２】
前記受付装置にて前記利用者の楽曲の選択を受付けることを特徴とする請求項１記載の楽曲演奏装置付き画像印刷装置。
【請求項３】
前記受付装置は、前記利用者が選択した楽曲を編集できる機能を有し、当該編集された楽曲を前記撮影部または前記編集部の一方又は双方で再生可能としたことを特徴とする請求項１または２記載の楽曲演奏装置付き画像印刷装置。
【請求項４】
前記編集部が設けられた前記編集室を複数有し、前記撮影部は、前記利用者を複数の前記編集室のうち空いている所に振り分ける編集部移動案内手段を有することを特徴とする請求項１から３のいずれかに記載の楽曲演奏装置付き画像印刷装置。
【請求項５】
前記受付装置を備える受付部が、前記撮影室の外に設けられるとともに、当該受付部を複数有することを特徴とする請求項１から４のいずれかに記載の楽曲演奏装置付き画像印刷装置。
【請求項６】
前記受付装置を備える受付部が、前記撮影室の外に設けられるとともに、前記受付装置は、前記利用者のプレイ参加の意思を確認する意思確認手段と、撮影方法や前記楽曲の情報を表示する表示装置と、該表示装置に表示された情報に基づいて前記利用者が前記撮影方法や前記楽曲の選択を行なう入力手段と、前記撮影部への移動を案内する撮影部移動案内手段とを有することを特徴とする請求項１から５のいずれかに記載の楽曲演奏装置付き画像印刷装置。
【請求項７】
前記撮影部移動案内手段は、前記撮影部における先行の利用者の存在の有無を表す情報に基づいて、前記撮影部にて先行の利用者が存在しない場合は前記撮影部への移動を案内し、前記撮影部にて先行の利用者が存在する場合は待機を指示するようにしたことを特徴とする請求項６記載の楽曲演奏装置付き画像印刷装置。
【請求項８】
前記撮影装置は、前記利用者の画像を撮影する撮像手段と、撮影候補画像または撮影画像の一方又は双方を表示する表示装置とを有し、前記撮影部は、前記編集部への移動を案内する編集部移動案内手段を備えることを特徴とする請求項１から７のいずれかに記載の楽曲演奏装置付き画像印刷装置。
【請求項９】
前記出力装置を備える出力部が、前記編集室の外に設けられるとともに、前記編集装置は、撮影室で撮影された画像が表示される表示装置と、該表示装置に表示された画像に対して利用者が落書を行なうための落書入力装置と、該落書入力装置から送られる信号を反映して画像を前記表示装置に出力するコントローラとを有し、前記編集部は、前記出力部への移動を案内する出力部移動案内手段を備えることを特徴とする請求項１から８のいずれかに記載の楽曲演奏装置付き画像印刷装置。
【請求項１０】
前記第１楽曲演奏装置および前記第２楽曲演奏装置はそれぞれ、楽曲が記録された楽曲記録装置と、該楽曲記録装置に記録された楽曲を再生する再生装置と、該再生装置で再生される音声を出力する音声出力装置と、前記楽曲と対応した歌詞データと映像データとを表示する表示装置を備えることを特徴とする請求項１から９のいずれかに記載の楽曲演奏装置付き画像印刷装置。
【請求項１１】
前記第１楽曲演奏装置および前記第２楽曲演奏装置はそれぞれ、利用者が所持する携帯型記録手段に記録されている楽曲を音声として出力することを特徴とする請求項１から９のいずれかに記載の楽曲演奏装置付き画像印刷装置。
【請求項１２】
前記受付装置は、前記携帯型記録手段に利用者が選択または編集した楽曲を記録することを特徴とする請求項１１記載の楽曲演奏装置付き画像印刷装置。
【請求項１３】
利用者に対する撮影からその撮影された画像に編集を加えて出力する迄のプレイを始めるか否かの決定およびプレイ条件の設定を受付ける受付プロセスと、前記利用者に対する撮影が行なわれると共に前記利用者が事前に選択した楽曲の再生が行なわれる撮影プロセスと、前記撮影プロセスで撮影された撮影画像を前記利用者が編集し得ると共に前記利用者が事前に選択した楽曲の再生が行なわれる編集プロセスと、前記利用者が前記編集プロセスで得られた編集画像データの出力結果を受け取る出力プロセスとを有し、前記受付プロセス、撮影プロセス、編集プロセス、出力プロセスを並列に処理し得るようにしたことを特徴とする楽曲演奏付き画像印刷方法。
【請求項１４】
前記受付プロセスは、プレイ条件の設定後、前記撮影プロセスが前記利用者の受け入れが可能な状態にあるか判断し、可能な場合に前記撮影プロセスが行なわれる撮影部への移動を指示し、可能でない場合には可能となるまで前記利用者に待機を指示し、当該指示後に次の利用者の受け入れが可能な初期状態に戻ることを特徴とする請求項１３記載の楽曲演奏付き画像印刷方法。
【請求項１５】
前記撮影プロセスは、予め定めた制限時間後に、撮影および前記楽曲の再生を終了すると共に、前記編集プロセスが行なわれる編集部への移動を指示し、当該指示後に次の利用者の受け入れが可能な初期状態に戻ることを特徴とする請求項１３または１４記載の楽曲演奏付き画像印刷方法。
【請求項１６】
前記編集プロセスは、予め定めた制限時間後に、編集および前記楽曲の再生を終了すると共に、前記出力プロセスが行なわれる出力部への移動を指示し、当該指示後に次の利用者の受け入れが可能な初期状態に戻ることを特徴とする請求項１３から１５のいずれかに記載の楽曲演奏付き画像印刷方法。
【請求項１７】
前記受付プロセス、撮影プロセス、編集プロセス、出力プロセスを制御する制御部には、利用者の組ごとに独立した記録領域が設けられ、前記受付プロセスで選択されたプレイ条件の設定情報、前記撮影プロセスで得られた前記撮影画像、前記編集プロセスで得られた前記編集画像データは、該当する前記記録領域に記録され管理されることを特徴とする請求項１３から１６のいずれかに記載の楽曲演奏付き画像印刷方法。
【請求項１８】
前記撮影プロセスの開始時点と後続の利用者についての前記受付プロセスの開始時点との間に時間差がある場合に、当該時間差に基いて当該撮影プロセスにおける楽曲再生時間を延長できるようにしたことを特徴とする請求項１５記載の楽曲演奏付き画像印刷方法。
【請求項１９】
前記編集プロセスの開始時点と後続の利用者についての前記撮影プロセスの開始時点との間に時間差がある場合に、当該時間差に基いて当該編集プロセスにおける楽曲再生時間を延長できるようにしたことを特徴とする請求項１６記載の楽曲演奏付き画像印刷方法。
【請求項２０】
前記撮影プロセスにおいて楽曲再生時間が延長されている間、前記編集プロセスにおける楽曲再生時間を延長できるようにしたことを特徴とする請求項１８記載の楽曲演奏付き画像印刷方法。
【請求項２１】
後続の利用者について前記受付プロセスが行なわれている又は行なわれた場合に、現在行なわれている前記撮影プロセスの制限時間を短縮することを特徴とする請求項１５，１８〜２０のいずれかに記載の楽曲演奏付き画像印刷方法。
【請求項２２】
後続の利用者について前記撮影プロセスが行なわれており、更に後続の利用者について前記受付プロセスが行なわれている又は行なわれた場合に、現在行なわれている前記編集プロセスの制限時間を短縮することを特徴とする請求項１６，１８〜２１のいずれかに記載の楽曲演奏付き画像印刷方法。
【請求項２３】
請求項１８から請求項２２のいずれかに記載の楽曲演奏付き画像印刷方法を実行するための装置であって、前記撮影プロセスおよび前記編集プロセスにおいてそれぞれ楽曲再生を行なう各楽曲演奏装置が、再生する楽曲を選択する機能をそれぞれ備えていることを特徴とする楽曲演奏装置付き画像印刷装置。
【発明の詳細な説明】
【技術分野】
【０００１】
本発明は、楽曲演奏装置付き画像印刷装置および楽曲演奏付き画像印刷方法に関する。さらに詳述すると、本発明は、カラオケ装置などの楽曲演奏装置と、プリクラ（プリントクラブ（商標）の略称）と呼ばれる画像印刷装置とが、融合した装置および当該装置上で実行される処理方法に関する。
【背景技術】
【０００２】
プリクラ（プリントクラブ（商標）の略称）と呼ばれる画像印刷装置は、１９９６年に開発され、今日に至る迄、利用者のニーズ及び運用者の利益の為に色々な機種が生み出された。新しいマーケットを市場に生み出したこの画像印刷装置は、以下のように変化して行った。
【０００３】
当初開発された画像印刷装置（特許文献１参照）は、ビデオカメラの撮り込み画像に、プログラムで予め用意されているイラストフレームを重ねるように合成して、これをモニタ上で確認してビデオプリンタにてプリントする仕組みであった。この画像印刷装置は、カメラに向かう利用者の後方にカーテンを垂らせて外部の建造物や他の人物等が一緒に写らない様にしていた。特許文献２に開示された画像印刷装置では、このカーテンをブルーにして、撮影時の背景をクロマキー処理し、そこに予めプログラム上で用意したイラスト背景画像と合成できる装置へと進歩した。そして、特許文献３に開示された画像印刷装置では、「撮影→合成→プリント」というこれまでのプレイの流れに、モニタ上に表示された自分の画像に対して入力ペン等を用いて落書きを入力する落書編集機能が加わり、「撮影→合成→落書編集→プリント」と、利用者の遊びの幅が広まった装置となった。また、特許文献４に開示された画像印刷装置では、全身が撮影される装置と進歩し、プリントアウト中は撮影装置や落書編集装置が非稼動状態である事から、利用者が装置の外に移動してプリントアウトを待つ、プリントシールの横出し構造へと変化して行った。
【０００４】
更に、特許文献５に開示された画像印刷装置では、撮影室と落書編集箇所とが分離した構造となっている。撮影と落書編集とは連続した工程ではあるが、独立分離された作業である為、これまでは、撮影中は落書編集装置が待機中であり、落書編集中は撮影カメラが次の撮影まで待機状態であった点に着目して、装置運用者側の売上効率に寄与するものとして特許文献５の装置が開発された。
【０００５】
また、特許文献５の構造を利用して登場した特許文献６の装置は、次の利用者がプレイ（撮影）を開始しなければ、落書時間が延長される仕組みになっている。さらに、２人が同時に落書編集できるように２つの落書ペンを備えた装置や２つの落書編集画面を備えた装置も存在する（特許文献７参照）。
【０００６】
以上のような画像印刷装置の改良は、利用者の満足度を高める為に必要な製品開発の結果であるが、それに伴って利用者の要求も次第に高くなっていった過程がある。それは、お金を払ってプレイする内容と時間である。当初、特許文献１や特許文献２のレベルの装置では、最初にイラストフレームを選択して（猶予時間約２０秒）、そのイラストフレームが表示されているモニタ画面内の後ろ側に、撮影ビデオカメラを通して取り込んだ利用者の画像を合成表示し、この状態において、イラストフレームとの静止画合成画像を、通常２回までの取り直しを可能とした上で、最大３回目の撮影までに決定されたその静止合成画像がプリント出力され、その出力終了に至るまでの所要時間は、最大で約２分４０秒位を要していた。そして、特許文献３の装置によって、撮影後に複数枚の画像の中から選択した画像に対して落書編集が可能となる機能追加により、落書編集に要する時間として約１分以上の長さが必要になった。つまり、約３分４０秒から４分以上を要する装置となった。更に、特許文献４の装置の出現により、これまでの撮影範囲が上半身又は顔のアップ迄だったのが、装置を大型化して全身撮影が可能となった。撮影可能範囲の広がりは、撮影ポーズを「全身」「上半身」「顔のアップ」と３ポーズの概念で考えられる様になった結果、従来の撮影の取り直しではなく、６〜１２回位の複数撮影を行い、これらの中から３〜４ポーズの撮影画像の選択が可能となり、その選択された複数の撮影画像のそれぞれに対して落書編集が行える様になった。現在では、１シール中にプリントできるポーズ数は４ショット以上が普通となり、撮影方法として沢山の撮影をしてその中から選ぶ方法又は撮り直しを繰り返しながら保存を重ねて４ショット程度まで貯まるように撮影を続ける方法があるが、何れも充分な撮影時間が必要とされ（３分以上が望ましい）、落書編集時間も各ポーズの撮影画像に対して落書編集が行える様に充分な時間が必要とされる（例えば４ショットを編集する場合、１ショットに対して１分位が必要で、４分以上が望ましい）。その結果、撮影時間と落書編集時間の合計所要時間が、少なくとも５分以上は必要とされる様になり、この後、効率化を求めてプリントアウトを横出し方式とした装置やプリントアウト中に次のプレイの開始が可能となる様にされる機種が現れる様になった。プレイ時間の長時間化は、利用者にとって満足の行くサービスであるが、装置運用者にとっては、売上回転率に直接関わる問題である。そこで、撮影と落書編集が分離されて別々に処理が可能な方式の特許文献５の装置が登場することとなった。
【０００７】
一方、カラオケ施設に画像印刷装置の機能を組み合わせた装置として、特許文献８〜１４に開示されたものがある。特許文献８の装置は、カラオケルームに設置されている設備であるモニタや選曲リモコン等を画像印刷装置の一部として併用する発想で、歌唱者が唄っている間に、その歌唱者をビデオカメラで常時撮影し、この撮影されている人物画像を、歌の始まる前に選曲リモコンで選択したイラストフレームや選曲したカラオケ曲のタイトルまたはカラオケの再生中にモニタに表されている歌詞及び背景映像とを合成表示させて、ある所望のタイミングでそのモニタ合成表示画像を記憶させてプリント出力される構成であり、通常のカラオケを楽しむ間に、画像印刷装置による撮影およびプリントも楽しめる構造となっている。また、近年の通信カラオケの情報伝達手段を利用して、イラストフレームデータが書き換えられる事も特徴としている。
【０００８】
また、特許文献９の装置では、カラオケ曲を演奏するための楽曲データによって撮影のタイミングが指定されるようにし、例えば、楽曲データ中に撮影トリガデータを書き込んでおき、このデータが読み出されたとき撮影の動作を実行するようにして、歌唱者が歌唱中に撮影ボタンを押さなくて良い様に工夫されている。また、特許文献１０の装置では、カラオケ曲の演奏時に再生される背景映像をビデオプリントモード時に再生する事を特徴としている。また、特許文献１１の装置では、歌唱中の歌唱者の位置や動きに合わせて撮影カメラ及び照明が移動され、楽曲データに書き込ませた撮影用のタイミングデータに従って撮影が行なわれる事を特徴としている。また、特許文献１２の装置では、歌唱者の持つコードレスマイクロホンの位置を、このマイクロホンから発せられる信号を基に位置分析し、その方向にカメラ及び照明を向ける事を特徴としている。また、特許文献１３の装置では、複数台のビデオカメラをカラオケルーム内に設置して、これらを切り換えて撮影することが可能で、従来のビデオプリンタの持つ分割プリント機能等を有効に利用するとされている。また、特許文献１４の装置では、カラオケ設備に設置されているカラオケ採点機の機能を利用して、その点数に応じて撮影画像に利用できる合成フレームイラストや背景画像の種類が変わることを特徴としている。
【０００９】
【特許文献１】登録実用新案第３０１４７３３号
【特許文献２】登録実用新案第３０３４０１２号
【特許文献３】特開２０００−６９４０４号公報
【特許文献４】特開２０００−２４１８５４号公報
【特許文献５】特開２００２−２１６２４０号公報
【特許文献６】特許第３３２４０３８号
【特許文献７】登録実用新案第３０８２３２８号
【特許文献８】特開平１０−１３３６７２号公報
【特許文献９】特開平１０−２０７４７７号公報
【特許文献１０】特開平１０−２０７４８０号公報
【特許文献１１】特開平１０−３１９９８０号公報
【特許文献１２】特開平１１−２４６８４号公報
【特許文献１３】特開平６−２８２２８６号公報
【特許文献１４】特開２０００−１６３０８３号公報
【発明の開示】
【発明が解決しようとする課題】
【００１０】
しかしながら、特許文献５，６の装置は、撮影が終了した利用者は落書編集箇所に移動し、同時に次の利用者が入れ替わりに撮影室に入って撮影が始められる構造であり、以前の装置である特許文献１〜４の装置よりも利用者の回転率の向上が期待される装置であるが、次の問題点を有することが本願発明者によって発見された。それは、複数人から成るある一組の利用者の一部の者が落書編集箇所に移動せず撮影室に居座り、次の組の利用者を撮影室の中に入れさせない状態（即ち装置を占有的に確保する状態）を生じる事である。このため、撮影室が次のプレイを受け入れ可能な状態となっているにもかかわらず、次にプレイしようとする利用者の組が待たされる結果となってしまう。しかも、落書を終了した利用者が仲間が確保している撮影室に戻り、２回目のプレイを開始する事が実質的に可能となっており、この場合、正直に外で待っている次の利用者は、更なる待ち時間を要する事になる。さらに、特許文献６の装置においては、次の利用者がプレイ（撮影）を開始しなければ、落書時間が延長される仕組みになっているため、落書時間の延長を意図して利用者の一部が撮影室に居座る場合もある。
【００１１】
この様に、特許文献５，６の装置においてプレイを開始しないにもかかわらず利用者の一部が撮影室に居座れるのは、構造上の理由も考えられる。つまり、装置の外から撮影室への入口には、一般にのれん状のカーテンが吊るされており、撮影室の中に人が居るとその存在が外からわかる為、外に立つ人が中に入れない事が考えられる。
【００１２】
利用者は、自らが画像印刷装置で遊ぶ立場にある場合は出来るだけ長い撮影時間や落書編集時間を望む一方で、自らが待つ立場にある場合はプレイを始められる迄の比較的正確な又はおよその待ち時間が予測出来ないと、ストレスを感じてしまう。本願発明者が観察したところ、画像印刷装置には２組以上の利用者が並ばない。利用者がストレスを感じることなく待つためには、「撮影室内に人が居るのになかなか始めない」、「前の組が落書を始めて、次の組の撮影が可能なのに、全員が撮影室から出て行かないで、落書が終るまで待たされた挙句、再び撮影を始めて、通常の２倍以上の長さ待たされた」、等の不愉快要因を解決しなければならない。特許文献５，６の装置は、これらの不愉快要因が解決されておらず、利用者にとって、わざわざ撮影室から落書編集箇所へ移動するメリットが有るとは言い難いシステムとなってしまっている。
【００１３】
また、撮影からその撮影された画像に編集を加えて出力する迄の一連のプレイは、先ずは硬貨を投入しなければ始まらない為、上述した状況（即ち、機械が次のプレイを受け入れ可能な状態となっており、しかも次にプレイしようとする利用者が存在するにもかかわらず、プレイが開始されない状況）は、注意深く観察しなければ気付き難いが、時間的損失および機械的損失を生じており、これらの損失は装置運用者にとっては売上に関わる重要な問題である。
【００１４】
さらに、特許文献１〜７の装置には、次の問題点もある。それは、撮影には全員が参加できるが、落書編集に参加できる者は１人若しくは２人までで、利用者が３人以上の場合、落書編集に参加できない者が発生してしまうことである。２人が同時に落書編集できるように、２つの落書ペンを備えた装置や２つの落書編集画面を備えた装置（特許文献７）も存在するが、３人以上には対応できていない。１画面に対して３つの落書ペンを備える構造はスペースの制約等からも無理が生じると考えられ、また落書用モニタを３画面も備える事は、費用対効果として、その画面数を増やした分だけ売上が伸びるとは言えず、むしろ２人でプレイする利用者には敬遠される可能性も有り、さらに利用者が４人以上の場合には対応できない。
【００１５】
落書編集は画像印刷装置で遊ぶ楽しみの一つであり、その楽しい落書編集に参加できない同伴者は、仲間が落書編集をしている時間を退屈な思いで過ごさねばならず、支払いが割り勘の場合は不平等感を抱くことも考えられる。つまり落書編集の時間は必ずしも全員が共有して楽しめる時間となっておらず、利用者への平等なサービスの提供の観点から解決すべき問題点と言える。また、落書編集に参加できない者の存在は、利用者の一部が落書編集箇所に移動せず撮影室に居座って次の利用者を撮影室の中に入れさせない状況を生じる一要因ともなっていると考えられる。
【００１６】
一方、カラオケ施設に画像印刷装置の機能を備えた特許文献８〜１４の装置では、利用者の主たる目的はカラオケにあり、設備投資コストに見合う迄、画像印刷装置の機能が利用されない現実的問題がある。この理由としては、特許文献８〜１４の装置では、基本的に１カラオケ曲の歌唱に対して１撮影（１プレイ）が行なわれ、主として歌唱者が撮影対象となり、全員で撮影してその後落書編集を楽しむという既存の専用機（特許文献１〜７）の遊びの要素を有さず、結果、「プリクラは専用機で楽しめば良い」という意識が現われるからと分析できる。また、カラオケルームの室内環境が撮影環境に重きを置いた設計となっていない点も考えられる。また、カラオケ施設が一般に時間制（例えば最初が１時間で延長が３０分単位）の歌い放題のシステムであり、この時間内に連続してカラオケ演奏を続けないと場がしらけたり、唄い続けないと勿体無い気分になる点も考えられる。また、カラオケ施設の利用者が複数人である場合、唄っている者以外の人は、自分の歌う曲を選択しているか、話をしているか、食事をしている事が多く、唄っている人と一緒にカラオケを楽しむことがあまり無い状態が多く見受けられる。
【００１７】
また、カラオケを楽しんでいる利用者の年齢層や性別や客層で考えてみても、カラオケ施設に付加された画像印刷装置の機能を利用する者の絶対数は非常に少ないと言える。即ち、カラオケ店での高い売上を占める年齢層は、お酒と食事の注文を多くする高年齢層であり、この高年齢層は、画像印刷装置を積極的に利用する世代ではない。一方、現存のカラオケ店の料金体系の多くは、夕方６時までが非常に安い料金となっており、１時間唄い放題で１人３００円以下が多く、この料金体系を利用する利用者が、画像印刷装置の一般的なプレイ価格である３００円〜４００円を支払って、カラオケルーム内で更にプリクラを楽しむ行為は起こり難い。
【００１８】
ところで、画像印刷装置の利用客は殆どが女性で、しかも小学生から女子高生迄が殆どであり、利用客数の９０％以上を占める。これらの客層のうち、高校生グループはカラオケ店に歌いに行く事も多いが、中学生グループは風紀上の心配から限られた場合のみしかカラオケ店に行くことが難しく、小学生グループは親が同伴する場合にのみ限られている。特に小学生グループは、自分の友達の親が自分の親と一緒にカラオケに同伴してくれる程、親同士が交流する確率は現実的に低く、その結果、カラオケに行けないで我慢している状況となっている。
【００１９】
一方、画像印刷装置の場合は、その設置箇所がデパートの一角や風営法に属さない専門ショップとされている事が多く、小中学生のみのグループでの利用も可能になっている。小中学生グループは言わばカラオケ予備軍であり、歌謡界の低年齢グループ歌手を支持している年齢層に含まれていると考えられる。つまり、小中学生といった低年齢層グループは、画像印刷装置で遊ぶことは許されても、１時間等の長い時間をお酒も注文できる個室で過ごす事ができるカラオケ店には勝手に行けない事情がある事が理解できる。
【００２０】
以上のように特許文献８〜１４の装置は、カラオケの機能と画像印刷装置の機能とが上手く融合されたシステムとは言い難い。
【００２１】
また、カラオケは選曲して順番が来たら唄うという繰り返しであり、画像印刷装置の様に落書編集という概念に沿って、カラオケ曲をオリジナル的に編集して楽しむ機能は従来存在しなかった。
【００２２】
そこで本発明は、特定の利用者が装置を占有する事を防ぎ、利用者の回転率を確保し、装置の稼働率を高めることができる楽曲演奏装置付き画像印刷装置および方法を提供することを目的とする。また、本発明は、利用者全員が一体感を感じながら遊びの時間を共有できる楽曲演奏装置付き画像印刷装置および方法を提供することを目的とする。また、本発明は、落書編集を行なう者も行なわない者も平等に楽しむことができる楽曲演奏装置付き画像印刷装置および方法を提供することを目的とする。また、本発明は、小中学生などの低年齢層にも健全にカラオケ等の楽曲に触れる機会を与えることができる楽曲演奏装置付き画像印刷装置および方法を提供することを目的とする。また、本発明は、利用者が楽曲を適宜編集して得られるオリジナル曲の再生を楽しむことができる楽曲演奏装置付き画像印刷装置および方法を提供することを目的とする。
【課題を解決するための手段】
【００２３】
かかる目的を達成するため、請求項１記載の楽曲演奏装置付き画像印刷装置は、利用者に対する撮影からその撮影された画像に編集を加えて出力する迄のプレイを始めるか否かの決定およびプレイ条件の設定を受付ける受付装置と、撮影装置と前記利用者が事前に選択した楽曲を音声として出力する第１楽曲演奏装置とを備える撮影部と、前記撮影部で撮像した撮影画像を前記利用者が編集し得る編集装置と利用者が事前に選択した楽曲を音声として出力する第２楽曲演奏装置とを備える編集部と、該編集部からの編集画像データを出力する出力装置と、前記受付装置で選択された情報および前記利用者の撮影画像や編集画像データの一時記録及び転送処理を行う制御部とを有し、前記撮影部および前記編集部はそれぞれ別の室である撮影室および編集室に設けられるようにしている。
【００２４】
したがって、プレイの進行に従って利用者が撮影室から編集室へと移動する又は移動しなければならない構造であるため、特定の利用者が画像印刷装置を占有することを防止できる。また、撮影室または編集室での楽曲再生の開始に間に合うように、各組の利用者が撮影室から編集室へと迅速に移動する。複数組の利用者が連続して画像印刷装置を利用する場合においても、一組目の利用者の移動に応じて、二組目、三組目…と、後続の組の利用者が追随する形となり、各組の利用者に対する処理が滞ることがない。
【００２５】
また、請求項２記載の発明は、請求項１記載の楽曲演奏装置付き画像印刷装置において、前記受付装置にて前記利用者の楽曲の選択を受付けるようにしている。この場合、利用者は受付装置において事前に楽曲を選択できる。
【００２６】
また、請求項３記載の発明は、請求項１または２記載の楽曲演奏装置付き画像印刷装置において、前記受付装置は、前記利用者が選択した楽曲を編集できる機能を有し、当該編集された楽曲を前記撮影部または前記編集部の一方又は双方で再生可能としている。したがって、利用者は楽しく面白く歌えるように楽曲を好みに合わせて編集でき、今までの画像印刷装置またはカラオケ施設にはない楽しみや面白みをオリジナル的に演出できる。
【００２７】
また、請求項４記載の発明は、請求項１から３のいずれかに記載の楽曲演奏装置付き画像印刷装置において、前記編集部が設けられた前記編集室を複数有し、前記撮影部は、前記利用者を複数の前記編集室のうち空いている所に振り分ける編集部移動案内手段を有するようにしている。この場合、編集制限時間（編集部において落書編集と楽曲再生を楽しめる時間）を編集部の数に応じた長い時間に設定することができる。
【００２８】
また、請求項５記載の発明は、請求項１から４のいずれかに記載の楽曲演奏装置付き画像印刷装置において、前記受付装置を備える受付部が、前記撮影室の外に設けられるとともに、当該受付部を複数有するようにしている。この場合、撮影部が空く時間若しくはタイミングと、各利用者の希望（例えばゆっくりと選曲を行いたい等）を考慮して、利用者を撮影部へと案内する事が可能となる。
【００２９】
また、請求項６記載の発明は、請求項１から５のいずれかに記載の楽曲演奏装置付き画像印刷装置において、前記受付装置を備える受付部が、前記撮影室の外に設けられるとともに、前記受付装置は、前記利用者のプレイ参加の意思を確認する意思確認手段と、撮影方法や前記楽曲の情報を表示する表示装置と、該表示装置に表示された情報に基づいて前記利用者が前記撮影方法や前記楽曲の選択を行なう入力手段と、前記撮影部への移動を案内する撮影部移動案内手段とを有するようにしている。
【００３０】
また、請求項７記載の発明は、請求項６記載の楽曲演奏装置付き画像印刷装置において、前記撮影部移動案内手段は、前記撮影部における先行の利用者の存在の有無を表す情報に基づいて、前記撮影部にて先行の利用者が存在しない場合は前記撮影部への移動を案内し、前記撮影部にて先行の利用者が存在する場合は待機を指示するようにしている。この場合、撮影部の空き状況に応じて臨機応変に利用者を撮影部へと案内する事が可能となる。
【００３１】
また、請求項８記載の発明は、請求項１から７のいずれかに記載の楽曲演奏装置付き画像印刷装置において、前記撮影装置は、前記利用者の画像を撮影する撮像手段と、撮影候補画像または撮影画像の一方又は双方を表示する表示装置とを有し、前記撮影部は、前記編集部への移動を案内する編集部移動案内手段を備えるようにしている。
【００３２】
また、請求項９記載の発明は、請求項１から８のいずれかに記載の楽曲演奏装置付き画像印刷装置において、前記出力装置を備える出力部が、前記編集室の外に設けられるとともに、前記編集装置は、撮影室で撮影された画像が表示される表示装置と、該表示装置に表示された画像に対して利用者が落書を行なうための落書入力装置と、該落書入力装置から送られる信号を反映して画像を前記表示装置に出力するコントローラとを有し、前記編集部は、前記出力部への移動を案内する出力部移動案内手段を備えるようにしている。
【００３３】
また、請求項１０記載の発明は、請求項１から９のいずれかに記載の楽曲演奏装置付き画像印刷装置において、前記第１楽曲演奏装置および前記第２楽曲演奏装置はそれぞれ、楽曲が記録された楽曲記録装置と、該楽曲記録装置に記録された楽曲を再生する再生装置と、該再生装置で再生される音声を出力する音声出力装置と、前記楽曲と対応した歌詞データと映像データとを表示する表示装置を備えるようにしている。
【００３４】
また、請求項１１記載の発明は、請求項１から９のいずれかに記載の楽曲演奏装置付き画像印刷装置において、前記第１楽曲演奏装置および前記第２楽曲演奏装置はそれぞれ、利用者が所持する携帯型記録手段に記録されている楽曲を音声として出力するようにしている。この場合、制御部は各利用者の組ごとに楽曲情報の管理や第１楽曲演奏装置および第２楽曲演奏装置に対する楽曲情報の転送処理などを行なう必要はない。
【００３５】
また、請求項１２記載の発明は、請求項１１記載の楽曲演奏装置付き画像印刷装置において、前記受付装置は、前記携帯型記録手段に利用者が選択または編集した楽曲を記録するようにしている。
【００３６】
また、請求項１３記載の楽曲演奏付き画像印刷方法は、利用者に対する撮影からその撮影された画像に編集を加えて出力する迄のプレイを始めるか否かの決定およびプレイ条件の設定を受付ける受付プロセスと、前記利用者に対する撮影が行なわれると共に前記利用者が事前に選択した楽曲の再生が行なわれる撮影プロセスと、前記撮影プロセスで撮影された撮影画像を前記利用者が編集し得ると共に前記利用者が事前に選択した楽曲の再生が行なわれる編集プロセスと、前記利用者が前記編集プロセスで得られた編集画像データの出力結果を受け取る出力プロセスとを有し、前記受付プロセス、撮影プロセス、編集プロセス、出力プロセスを並列に処理し得るようにしている。
【００３７】
したがって、複数組の利用者が連続して画像印刷装置を利用する場合においても、１プレイを構成する受付、撮影、編集、出力の各プロセスを一組目の利用者が終える度に、二組目、三組目…と、後続の組の利用者が追随する形となり、各組の利用者に対する処理が滞ることがない。
【００３８】
また、請求項１４記載の発明は、請求項１３記載の楽曲演奏付き画像印刷方法において、前記受付プロセスは、プレイ条件の設定後、前記撮影プロセスが前記利用者の受け入れが可能な状態にあるか判断し、可能な場合に前記撮影プロセスが行なわれる撮影部への移動を指示し、可能でない場合には可能となるまで前記利用者に待機を指示し、当該指示後に次の利用者の受け入れが可能な初期状態に戻るようにしている。この場合、撮影部の空き状況に応じて臨機応変に利用者を撮影部へと案内する事が可能となる。
【００３９】
また、請求項１５記載の発明は、請求項１３または１４記載の楽曲演奏付き画像印刷方法において、前記撮影プロセスは、予め定めた制限時間後に、撮影および前記楽曲の再生を終了すると共に、前記編集プロセスが行なわれる編集部への移動を指示し、当該指示後に次の利用者の受け入れが可能な初期状態に戻るようにしている。
【００４０】
また、請求項１６記載の発明は、請求項１３から１５のいずれかに記載の楽曲演奏付き画像印刷方法において、前記編集プロセスは、予め定めた制限時間後に、編集および前記楽曲の再生を終了すると共に、前記出力プロセスが行なわれる出力部への移動を指示し、当該指示後に次の利用者の受け入れが可能な初期状態に戻るようにしている。
【００４１】
また、請求項１７記載の発明は、請求項１３から１６のいずれかに記載の楽曲演奏付き画像印刷方法において、前記受付プロセス、撮影プロセス、編集プロセス、出力プロセスを制御する制御部には、利用者の組ごとに独立した記録領域が設けられ、前記受付プロセスで選択された撮影方法や前記楽曲の情報、前記撮影プロセスで得られた前記撮影画像、前記編集プロセスで得られた前記編集画像データは、該当する前記記録領域に記録され管理されるようにしている。
【００４２】
また、請求項１８記載の発明は、請求項１５記載の楽曲演奏付き画像印刷方法において、前記撮影プロセスの開始時点と後続の利用者についての前記受付プロセスの開始時点との間に時間差がある場合に、当該時間差に基いて当該撮影プロセスにおける楽曲再生時間を延長できるようにしている。したがって、現在撮影プロセスを実行している利用者の直後に後続の利用者がいなかった場合、当該撮影プロセスを実行している利用者は楽曲再生時間を延長できる。
【００４３】
また、請求項１９記載の発明は、請求項１６記載の楽曲演奏付き画像印刷方法において、前記編集プロセスの開始時点と後続の利用者についての前記撮影プロセスの開始時点との間に時間差がある場合に、当該時間差に基いて当該編集プロセスにおける楽曲再生時間を延長できるようにしている。したがって、現在編集プロセスを実行している利用者の直後に後続の利用者がいなかった場合、当該編集プロセスを実行している利用者は楽曲再生時間を延長できる。
【００４４】
また、請求項２０記載の発明は、請求項１８記載の楽曲演奏付き画像印刷方法において、前記撮影プロセスにおいて楽曲再生時間が延長されている間、前記編集プロセスにおける楽曲再生時間を延長できるようにしている。
【００４５】
また、請求項２１記載の発明は、請求項１５，１８〜２０のいずれかに記載の楽曲演奏付き画像印刷方法において、後続の利用者について受付プロセスが行なわれている又は行なわれた場合に、現在行なわれている撮影プロセスの制限時間を短縮するようにしている。また、請求項２２記載の発明は、請求項１６，１８〜２１のいずれかに記載の楽曲演奏付き画像印刷方法において、後続の利用者について撮影プロセスが行なわれており、更に後続の利用者について受付プロセスが行なわれている又は行なわれた場合に、現在行なわれている編集プロセスの制限時間を短縮するようにしている。この場合、画像印刷装置を利用する利用者の組の数が増加してくると、撮影プロセスや編集プロセスの制限時間が短縮されて、画像印刷装置における利用者の回転率が向上する。
【００４６】
また、請求項２３記載の楽曲演奏装置付き画像印刷装置は、請求項１８から請求項２２のいずれかに記載の楽曲演奏付き画像印刷方法を実行するための装置であって、前記撮影プロセスおよび前記編集プロセスにおいてそれぞれ楽曲再生を行なう各楽曲演奏装置が、再生する楽曲を選択する機能をそれぞれ備えるようにしている。したがって、利用者は予め設定された制限時間内もしくは延長された楽曲再生時間内において、再生する楽曲を追加したり変更したりできる。
【発明の効果】
【００４７】
請求項１，２，６，８，９，１０記載の楽曲演奏装置付き画像印刷装置および請求項１３，１５，１６，１７記載の楽曲演奏付き画像印刷方法によれば、特定の利用者が画像印刷装置を占有することを防止できる。例えば、ある利用者が連続プレイを意図として場所取りのために撮影室または編集室に居残ろうとしても、次の利用者がこの撮影室や編集室に入って来る構造であるため、居残れない。さらに、この画像印刷装置の楽しみの一つである楽曲再生の開始に間に合うように、各組の利用者が受付部から撮影部そして撮影部から編集部へと迅速に移動する。また、スムーズに各プロセスが進むことから、利用者はプレイを始められる迄の比較的正確な又はおよその待ち時間が予測できるので、ストレスを感じることなく待つことができる。
【００４８】
さらに画像印刷装置の運用者（運営者）に対しては、利用者の回転が保証され、売上が確保される。さらに、従来発生していた時間的ロスおよび機械的ロス（機械がプレイ可能な状態で、しかもプレイを希望する利用者が存在するにもかかわらず、プレイが開始されない状況により生じる損失）を解消できる。また、利用者は、撮影や落書編集と同時に楽曲再生（カラオケ等）を楽しむことができる。従って、利用者への大幅なサービス向上と、画像印刷装置の高水準の平均稼働率との両立が実現でき、売上向上が期待され、装置運用者の投資メリットは多大なものと成り得る。
【００４９】
さらに装置上の制約から落書編集に参加できない者が発生したとしても、その者は落書編集を行なう友人等と同じ空間の中で楽曲再生（カラオケ等）を楽しむことができる。このため、落書編集に参加できない者が暇を持て余すことが無く、従って不平等感を抱くこともなく、落書編集の時間を全員で共有して平等に楽しめる時間にできる。
【００５０】
さらに受付部において選曲を済ませるため、撮影部や編集部において楽曲の再生中に選曲することがない。このため、全員で一緒に楽曲を楽しむことができる。特に、楽曲が演奏される中での撮影は、利用者全員の身体が曲のリズムに乗り易く、全員で一緒にポーズを決める楽しさが得られ、利用者は従来のカラオケ施設では得られない一体感を得ることができる。
【００５１】
また、小中学生などの低年齢層でも遊べる画像印刷装置の一連のプレイの中に楽曲再生の機能を盛り込んでいるので、従来のカラオケ施設の顧客とはなり得ない小中学生などの低年齢層に対しても、健全にカラオケ等の楽曲に触れる機会を提供することができる。
【００５２】
さらに、従来の画像印刷装置は、遊びの機械としては充分な機能・性能を有しているレベルに達していると思えても、撮影という単調な遊びの為、新機種が出るとすぐそちらの機種に人気が移り、当装置の設置寿命が僅か約１年程度と、非常に投資負担が経営者にかかっていたが、本発明に係る画像印刷装置の場合、新規楽曲（例えばカラオケの新曲）を随時加える事で、画像印刷装置の陳腐化を防止できる。これにより、急激な売上ダウンが防げて売上の維持安定が計れ、装置運用者の投資効率の大幅な改善が可能となる。
【００５３】
さらに、請求項３記載の楽曲演奏装置付き画像印刷装置によれば、利用者は楽しく面白く歌えるように楽曲を好みに合わせて編集でき、今までの画像印刷装置またはカラオケ施設にはない楽しみや面白みをオリジナル的に演出できる。
【００５４】
さらに、請求項４記載の楽曲演奏装置付き画像印刷装置によれば、編集室を複数備えるので、編集制限時間（編集部において落書編集と楽曲再生を楽しめる時間）を編集部の数に応じた長い時間に設定することが可能となる。
【００５５】
さらに、請求項５記載の楽曲演奏装置付き画像印刷装置によれば、受付部を複数備えるので、撮影部が空く時間若しくはタイミングと、各利用者の希望（例えばゆっくりと選曲を行いたい等）を考慮して、利用者を撮影部へと案内する事が可能となる。
【００５６】
さらに、請求項７記載の楽曲演奏装置付き画像印刷装置および請求項１４記載の楽曲演奏付き画像印刷方法によれば、撮影部の空き状況に応じて臨機応変に利用者を撮影部へと案内する事が可能となる。
【００５７】
さらに、請求項１１，１２記載の楽曲演奏装置付き画像印刷装置によれば、制御部は各利用者の組ごとに楽曲情報の管理や第１楽曲演奏装置および第２楽曲演奏装置に対する楽曲情報の転送処理などを行なう必要はなく、画像印刷装置における処理を簡素化でき、画像印刷装置を安価に構成できる効果が得られる。
【００５８】
さらに、請求項１８から請求項２０記載の楽曲演奏付き画像印刷方法によれば、比較的空いてる時間帯に画像印刷装置を利用すれば、利用者は楽曲再生を楽しむ時間を延長できる確率が高くなることから、すいてる時間帯を狙って遊びに来る利用者の増加も期待でき、利用者へのサービス向上並びに運用者にとっては機械稼働率の向上を実現できる。
【００５９】
さらに、請求項２１および請求項２２記載の楽曲演奏付き画像印刷方法によれば、画像印刷装置を利用する利用者の組の数が増加すると、即ち画像印刷装置が混んでくると、撮影プロセスや編集プロセスの制限時間が短縮されるので、利用者の回転率が向上し、売上向上の効果が得られる。また、撮影プロセスや編集プロセスの制限時間の初期値を長めに設定、例えばそれぞれ１０分程度に設定することで、比較的空いてる時間帯に画像印刷装置を利用すれば、利用者は当該長めに設定された制限時間内でプレイすることが可能となり、すいてる時間帯を狙って遊びに来る利用者の増加も期待でき、利用者へのサービス向上並びに運用者にとっては機械稼働率の向上を実現できる。
【００６０】
さらに、請求項２３記載の楽曲演奏装置付き画像印刷装置によれば、利用者は例えば比較的空いてる時間帯に画像印刷装置を利用する場合に、延長された楽曲再生時間内もしくは予め長めに設定された制限時間内において、再生する楽曲を追加でき、さらに既に選択した楽曲を変更することもできる。
【発明を実施するための最良の形態】
【００６１】
以下、本発明の構成を図面に示す実施形態に基づいて詳細に説明する。
【００６２】
図１から図１２に本発明の楽曲演奏装置付き画像印刷装置および方法の実施の一形態を示す。この画像印刷装置１は、利用者に対する撮影からその撮影された画像に編集を加えて出力する迄のプレイを始めるか否かの決定およびプレイ条件の設定を受付ける受付装置６と、撮影装置７と利用者が事前に選択した楽曲を音声として出力する第１楽曲演奏装置８とを備える撮影部３と、撮影部３で撮像した撮影画像を利用者が編集し得る編集装置９と利用者が事前に選択した楽曲を音声として出力する第２楽曲演奏装置１０とを備える編集部４と、編集部４からの編集画像データを出力する出力装置１１と、受付装置６で選択された情報および利用者の撮影画像や編集画像データの一時記録及び転送処理を行う制御部１２とを有している。撮影部３および編集部４はそれぞれ別の室である撮影室８１および編集室８２に設けられている。例えば本実施形態における撮影室８１と編集室８２とは、周囲を壁で仕切られた箱型の個室として形成されている。また、本実施形態においては、受付装置６を備える受付部２と、出力装置１１を備える出力部５とが、撮影室８１および編集室８２の外に設けられている。この場合、利用者が受付部２から撮影部３、編集部４、出力部５へと順次移動して１プレイが完結されるようになる。但し、撮影室８１内に受付装置６を設けるようにしても良く、編集室８２内に出力装置１１を設けるようにしても良い。尚、図１及び他の図において、説明の便宜上、室８１，８２の天井は記載していないが、実際には防音性を考慮して天井を設けることが好ましく、または室８１，８２の周囲の壁を建物の天井まで高くして密接させると良い。
【００６３】
図１〜図３に示すように、撮影室８１と編集室８２とは隣接するように併設されており、撮影室８１と編集室８２との仕切りとなる壁には、撮影室８１から編集室８２への移動を可能とする連絡手段としての連絡口１３が設けられている。そして、撮影室８１と受付部２との仕切りとなる壁には、受付部２側から撮影室８１に入る為の入口１４が設けられ、編集室８２と出力部５との仕切りとなる壁には、編集室８２から出力部５側に出る為の出口１５が設けられている。また、本実施形態における受付装置６と出力装置１１および制御部１２は、例えば１つの収容ケース４７の中に内蔵されている。従って本実施形態においては、この収容ケース４７に受付部２および出力部５としての機能が設けられている事となる。この収容ケース４７は、例えば撮影室８１と編集室８２の外側で且つ入口１４と出口１５の間に位置するように設置されており、受付装置６は収容ケース４７の入口１４側の面に設けられ、出力装置１１は収容ケース４７の出口１５側の面に設けられている。このように出力部５を受付部２の近傍に設ける場合、出力待機中の利用者が連続プレイを希望するとき、受付部２に並ぶ他の利用者がいなければ、プリントアウトを待っている間に、受付部２での処理を直ちに連続的に行なえる利点がある。但し、受付部２、撮影部３、編集部４、出力部５のレイアウトが図１の例に限定されるものではない。また、本実施形態では、受付部２、撮影部３、編集部４、出力部５をそれぞれ一つ有する画像印刷装置１について説明するが、これら各部２、３、４、５は複数あっても良い。
【００６４】
また、本実施形態では、受付部２で選択され、撮影部３および編集部４において音声出力される楽曲は、カラオケ用演奏音楽としている。従って、本実施形態における第１楽曲演奏装置８および第２楽曲演奏装置１０は、いわゆるカラオケ装置として機能する。
【００６５】
本実施形態における画像印刷装置１の利用者は、以下のプロセスの流れに従って１プレイを楽しむ事ができる。即ち、受付部２において、利用者に対する撮影からその撮影された画像に編集を加えて出力する迄のプレイを始めるか否かの決定およびプレイ条件の設定を受付ける受付プロセス→撮影部３において、利用者に対する撮影が行なわれると共に利用者が事前に選択した楽曲の再生が行なわれる撮影プロセス→編集部４において、撮影プロセスで撮影された撮影画像を利用者が編集し得ると共に利用者が事前に選択した楽曲の再生が行なわれる編集プロセス→出力部５において、利用者が編集プロセスで得られた編集画像データの出力結果を受け取る出力プロセス、である。各プロセスは独立しており、並列処理が可能となっている。即ち、先行の組の利用者が受付プロセスを終了して撮影プロセスに移れば、後続の組の利用者は受付プロセスを開始でき、先行の組の利用者が撮影プロセスを終了して編集プロセスに移れば、後続の組の利用者は撮影プロセスを開始でき、先行の組の利用者が編集プロセスを終了して出力プロセスに移れば、後続の組の利用者は編集プロセスを開始できる。
【００６６】
そして、例えば本実施形態では、受付プロセス、撮影プロセス、編集プロセスにそれぞれ制限時間を設けている。受付プロセスの制限時間を受付制限時間とも呼び、撮影プロセスの制限時間を撮影制限時間とも呼び、編集プロセスの制限時間を編集制限時間とも呼ぶ。これらの制限時間の長さは必ずしも限定されないが、例えば受付プロセスを行なう受付部２、撮影プロセスを行なう撮影部３、編集プロセスを行なう編集部４がそれぞれ一つである本実施形態の場合、等しい時間とすることが望ましい。この場合、複数組の利用者が各プロセスに間断なく連なる場合（例えば画像印刷装置１がフル稼働の状態）でも、各組の利用者が各プロセスを終了すると同時に、先行の組の利用者も該当プロセスを終了するため、各組の利用者は滞ることなく次のプロセスに進むことができる。
【００６７】
ここで、撮影室８１においては撮影制限時間の中で、編集室８２においては編集制限時間の中で、受付部２にて選択された楽曲が再生される。一般に、カラオケ１曲の再生時間は平均約４分程度であること、また、撮影時間が４分程あれば従来装置と比較しても遜色ないポーズ数の撮影が可能であること、また、編集時間が４分程度あれば従来装置と比較しても遜色ない落書編集を行なえることから、例えば本実施形態では、受付プロセス、撮影プロセス、編集プロセスの各制限時間をそれぞれ４分に設定している。
【００６８】
以下に、受付装置６、撮影室８１、編集室８２、出力装置１１の構成の詳細について説明する。
【００６９】
本実施形態では、受付装置６にて利用者の楽曲の選択を受付けるようにしている。この場合、利用者は受付装置６において事前に楽曲を選択できる。この受付装置６は、利用者のプレイ参加の意思を確認する意思確認手段１６と、撮影方法や楽曲の情報を表示する表示装置１７と、表示装置１７に表示された情報に基づいて利用者が撮影方法や楽曲の選択を行なう入力手段１８と、撮影部３への移動を案内する撮影部移動案内手段とを有している。
【００７０】
本実施形態における意思確認手段１６は、利用者の対価の支払いによってプレイに参加する旨の利用者の意思を確認する課金装置であり、例えば硬貨受付機としている。利用者が硬貨受付機１６に硬貨を投入することにより、制御部１２にプレイ開始の指示が伝えられる。また、本実施形態の表示装置１７は、例えばＣＲＴや液晶ディスプレイなどのモニタであり、以下この表示装置を受付用モニタ１７と呼ぶ。受付用モニタ１７には、例えば制御部１２に記録された受付用プログラムに従ってデモ画面、プレイ方法選択用画面、楽曲選択用画面、楽曲編集用画面などが表示される。また、本実施形態の入力手段１８は、受付用モニタ１７に表示された選択項目、楽曲の索引、楽曲名等を選択し決定する選択ボタンとしている。但し、人間の指先または付属のタッチペンの動作に応じて受付用モニタ１７の表面上の座標位置を認識するタッチパネルや、マウス、ジョイスティック、トラックボール等のポインティングデバイスを、入力手段１８として用いても良いのは勿論である。
【００７１】
受付用モニタ１７に表示される楽曲選択用画面では、例えば本実施形態の場合、撮影室８１での再生用に１曲、編集室８２での再生用にもう１曲と、合計２曲の楽曲を選択する事を基本としている。以下、このような選曲形態を「ノーマル選曲」と呼び、この「ノーマル選曲」で選曲された楽曲を特定する情報を選曲データと呼ぶ。
【００７２】
楽曲選択用画面の一例を図１８から図２２に示す。例えば先ず図１８に示すように、１曲目の選択画面５０が表示される。本実施形態では例えば、利用者がボタン（以下、画面の表示選択エリアを「ボタン」と呼称する）５１，５２，５３のいずれかを選択することで、「コード入力」「歌手で選択」「曲名で選択」の三種のうち、いずれかの選曲方法が選択できるようになっている。
【００７３】
「コード入力」が選択された場合は、例えば図１９に示す画面５４が表示される。尚、コード入力を可能とするために、受付部２には楽曲名と対応するコードが記載された表（選曲本などとも呼ばれる）を用意しておくことが好ましい。但し、受付部２とは別の場所、例えば受付部２の周辺の複数の画像印刷装置１が共用しているオープンスペースなどに選曲本を置いておき、利用者が事前に所望の楽曲のコードをメモ用紙等に記載できるようにしても良い。この場合、受付に要する時間を短縮できる。利用者は、コード入力ボタン５５を指定して希望する楽曲名に対応するコードを入力し、「ＯＫ」ボタン５６を選択する。当該選択後、例えば図２０に示す画面５７が表示される。同画面５７には、入力されたコードが枠５８内に表示され、当該コードに対応する楽曲名が枠５９内に表示される。利用者は、同画面５７を確認し、表示された楽曲名が所望のものであれば、「ＯＫ」ボタン６０を選択することで、１曲目の選曲を確定できる。
【００７４】
また、「歌手で選択」が選ばれた場合、例えば図２１に示す画面６１が表示される。利用者は、文字入力ボタン６２を指定して歌手の名前を入力する。入力された文字は枠６３内に表示される。ここで、本実施形態では、現時点までで入力されている文字に基いて、該当すると思われる候補歌手名を枠６４内に表示するようにしている。したがって利用者は、歌手の名前を完全に入れ終わらなくても、枠６４内に表示された候補歌手名の中に該当する歌手名があれば、当該歌手名を選ぶことが可能となっている。文字入力が進む程に候補歌手名は絞られることとなる。該当歌手名が選択されると、例えば図２２に示す曲名選択画面６５が表示される。同画面６５の枠６６内には、選択された歌手に対応する楽曲一覧が表示される。利用者は、表示された楽曲一覧の中から、所望の楽曲名を選択することが可能となっており、楽曲名を選択することで１曲目の選曲を確定できる。尚、楽曲一覧が枠６６内に収まらない場合には、上ボタン６７，下ボタン６８を指定することで、枠６６内の表示をスクロールできるようになっている。
【００７５】
また、「曲名で選択」が選ばれた場合、図示を省略するが、例えば図２１と同様の画面が表示され、利用者は文字入力ボタンを指定して所望の楽曲名を入力できる。尚、利用者が楽曲名を完全に入れ終わらなくても、現時点までで入力されている文字に基いて、該当すると思われる候補楽曲名を表示するようにしても良い。利用者が表示された候補楽曲名の中から所望のものを選択することで、１曲目の選曲を確定できる。図中の「戻る」ボタン６９は、直前の行為を元に戻す機能を有する。尚、２曲目の選曲も上記と同様に行なうようにして良い。
【００７６】
さらに本実施形態では、受付装置６は利用者が選択した楽曲を編集（編曲、アレンジ）できる機能を有するようにして、当該編集された楽曲を撮影部３または編集部４の一方又は双方で再生する楽曲として選択できるようにしている。以下、このような選曲形態を「アレンジ選曲」と呼ぶ。
【００７７】
楽曲編集の内容としては、特に制限されないが、例えば、（１）楽曲の再生範囲を選択し、当該選択された部分（例えばサビの部分）のみを再生する、（２）選択された部分を任意の回数繰り返す、（３）楽曲の開始箇所を選択する（例えば前奏をスキップさせる、または、全くの途中から再生させる等）、（４）異なる複数の曲を選び、各曲の任意の箇所を任意の範囲で選び、各曲の選択された部分を連続的につなげてメドレー構成にする（この場合、曲のサビや任意の面白みのある部分のみをメニューとして予め用意しておき、利用者が選び易いようにしても良い）、（５）一曲を前後に分けて当該前後を入れ替える、（６）順次半音上げる又は下げる或いは移調する等、が挙げられる。
【００７８】
楽曲編集の方法としては、例えば入力手段１８を用いた利用者の選択により、楽曲編集用画面を受付用モニタ１７に表示し、且つ当該画面において利用者により選択された楽曲の歌詞を表示し、利用者が入力手段１８を用いて当該歌詞の任意の範囲を選択できるようにする。この場合、入力手段１８としてタッチペンやポインティングデバイス等を用いることで、例えばドラッグ＆ドロップを用いた高度な楽曲の編集加工が可能になる。そして、例えば制御部１２では、利用者が選択した楽曲をデジタルデータとして呼び出して一時記憶し、利用者の入力手段１８の操作に応じて、当該デジタルデータを加工する。当該加工されたデジタルデータを編曲データと呼ぶ。
【００７９】
楽曲編集用画面の一例を図２３に示す。同画面７０の左側には、選択された楽曲の歌詞の情報が表示される。歌詞の情報は、例えば「１番」「サビ」「２番」などのように纏まりのある部分が外枠７１で囲われており、各外枠７１の中には該当する部分の歌詞の文字が表示される。また、外枠７１内の各文字は内枠７２で囲われている。そして、利用者がタッチペン等の入力手段１８を用いて選択した各外枠７１および各内枠７２内の文字が、選択された順番に画面７０の右側のウィンドウ７３に表示されるようになっている。例えば、利用者がタッチペンを用いて、先ず「サビ」の外枠７１に触れ、次に「一番」の外枠７１に触れ、次に「２番」の外枠７１の中の１行目の内枠７２に順次触れ、さらに「サビ」の外枠７１に触れると、ウィンドウ７３の表示は図２４に示すようになる。歌詞を構成する各文字にはそれぞれ対応する音情報すなわちメロディが関連付けられており、ウィンドウ７３に表示された文字の順に従って、各文字に対応するメロディが再生されることとなる。また、前記音情報と共に再生時間情報も計算され、ウィンドウ７３内に選択表示された内容に対応した再生時間が、例えばウィンドウ７３の右上枠外に表示される。本実施形態の場合は設定再生時間として例えば４分を目処とし、上記の表示時間が設定再生時間より短い状態で「ＯＫ」ボタン８０が選択された場合は、撮影室８１または編集室８２における楽曲再生の終了後に当該楽曲を自動的にリピートさせるようにしても良い。一方、歌詞選択中に上記の表示時間が設定再生時間を超えた場合には、「時間オーバの為、途中で終了されます」または「時間オーバになっていますが、次のお客様がいらっしゃらない場合には時間延長して再生することができます」等の確認メッセージを画面上に表示して、注意事項を利用者に認識させる事が好ましい。そして具体的な歌詞選択においては、例えば、サビの中の「たちつ」の文字を選んだ後に、１番の中の「えおか」の文字を選ぶと、まさに「たちつ」のメロディーに連続して「えおか」のメロディーが再生される。また、「前奏」ボタン７４が選択されない場合は、前奏がカットされる。
【００８０】
また、歌詞が選択されると、ウィンドウ７３には「擬音」ボタン７５、「拍手」ボタン７６、「消音」ボタン７７、「間奏」ボタン７８が表示される。利用者がタッチペンを用いて、これらのボタン７５〜７８のいずれかに触れた後、ウィンドウ７３内の文字と文字の間に触れると、これらの文字に対応するメロディーとメロディーの間に各ボタン７５〜７８に対応する効果の音情報が挿入される。例えば「消音」は一定時間、例えば１秒程度、音を消す効果を起こす。例えば、ある文字と文字の間で「消音」効果を３回挿入すると、約３秒間の無音状態を創ることができ、唄っている途中で急に曲が終わった状態を演出し、聞いている又は一緒に唄っている仲間が「あれ」と思った瞬間、再び曲の続きを再生するようにできる。「拍手」も「擬音」の一種であるが、「擬音」においては、例えば二次画面で「らっぱの音」「悲鳴」「一言セリフ」等、多種用意しておいても良い。これにより、演出表現が増え、創作性の豊かな楽曲編集を楽しめる。前記「拍手」等の挿入や歌詞の一部削除に伴って、上記再生時間の表示時間は随時変わる。
【００８１】
また、利用者がタッチペンを用いて、ウィンドウ７３に表示された「取消」ボタン７９に触れた後、ウィンドウ７３内の外枠７１または内枠７２に触れると、当該箇所が消去され、後の文字が詰まってくるようになっている。また、「戻る」ボタン６９は、直前の行為を元に戻す機能を有し、例えば利用者がタッチペンを用いて「戻る」ボタン６９に３回触れると三つ手前の状態に戻る。そして、「ＯＫ」ボタン８０が選択されると、編曲内容が確定する。
【００８２】
さらに本実施形態の受付装置６は、利用者が選択した楽曲または編集した楽曲を再生するデモ用楽曲再生装置１９を備えている。デモ用楽曲再生装置１９は、例えば入力手段１８を用いた利用者の選択により、利用者が選択した楽曲または編集した楽曲を制御部１２から呼び出して再生し、音声出力装置（例えばスピーカ２０）から出力する。そして利用者が、当該デモ再生を聞いた後に、入力手段１８を用いて、選曲又は編曲の内容を確定することができるようにしている。これにより、利用者が曖昧な記憶に基づいて楽曲の選択をした場合でも事前確認が可能となる。カラオケ施設では、楽曲の演奏が開始された後で、利用者が記憶違いから思っていた様に唄えないことに気付き、途中で曲をキャンセルする事が見受けられるが、このような選曲の失敗も無くなる。また、楽曲編集の出来栄えをその場で確認することも可能となる。但し、楽曲編集の場合は、スピーカ２０から出力するのではなく、ヘッドホン（図示省略）に出力するようにしても良く、或いは確認用出力を全く行なわなくても良い。この場合、楽曲編集の内容は、編曲を行なった者のみしか分からず、同伴者は撮影室８１または編集室８２にて再生されるまで分からず、利用者に対して創造以上の面白さ（例えば意外性から来る面白さ）を演出することが可能となる。
【００８３】
ここで、受付部２で選択できる楽曲数は任意としても構わないが、本実施形態においては撮影室８１または編集室８２における楽曲の再生時間は、それぞれ撮影プロセスまたは編集プロセスの制限時間（本実施形態ではそれぞれ４分）を超えないものとしている。例えば本実施形態では、利用者の移動時間も考慮して、楽曲の再生時間を各プロセスの制限時間よりもやや短いものに設定している。当該設定された時間を設定再生時間と呼ぶ。このため、楽曲の開始から終了までの時間が、設定再生時間を超える場合は（例えば「アレンジ選曲」により演奏時間の長いメドレー構成としたような場合は）、当該楽曲の再生は途中で打ち切られることとなる。
【００８４】
そこで、例えば本実施形態では、受付装置６にて、楽曲の再生モードを選択できるようにしている。再生モードとしては、例えば次の２つのモードを用意している。第１のモードは、撮影室８１における設定再生時間の経過後、楽曲の演奏が終わっていなければフェードアウトし（即ち、音量をだんだんしぼっていって音を消し）、編集室８２において当該楽曲の続きを再生するようにする。この第１のモードは、例えば演奏時間の長いメドレー構成の楽曲の再生に適している。一方、第２のモードは、撮影室８１における設定再生時間の経過後、楽曲の演奏が終わっていなくてもフェードアウトして当該楽曲を終了し、編集室８２においては次に選択されている楽曲を再生するようにする。この第２のモードは、「ノーマル選曲」を選択した場合に適している。尚、第１または第２のいずれのモードにおいても、本実施形態では、編集室８２における設定再生時間の経過後、楽曲の演奏が終わっていなくてもフェードアウトして当該楽曲を終了するようにする。
【００８５】
尚、「アレンジ選曲」の場合に限らず、「ノーマル選曲」の場合でも、設定再生時間に収まるように楽曲を編集すること（例えば前奏をカットする、または曲の１番だけを選択する等）も勿論可能である。この場合も、例えば受付用モニタ１７に表示する画面に、選択され又は編集されている楽曲の現時点での総演奏時間を表示するようにしても良く、また、この総演奏時間が設定再生時間を超えている場合は、「途中で演奏が終わりますが、よろしいですか」または「設定再生時間をオーバしているので、「アレンジ選曲」画面に移行しますか」等の確認メッセージを表示しても良い。これらの表示に従い、利用者は、表示された総演奏時間を参照しながら、設定再生時間に上手く収まるように楽曲編集を行なうこともできる。
【００８６】
受付用モニタ１７に表示されるプレイ方法選択用画面では、利用者は入力手段１８を用いて、撮影方法（例えば、撮影背景の絵柄、シールの分割数、撮影のタイミング等）を選択できる。撮影のタイミングについては、予め定められた回数の撮影が自動的に行なわれる自動撮影と、撮影室８１において制限時間内であれば任意のタイミングで利用者自身が撮影の指示を出せる手動撮影と、が選択できるようにしている。
【００８７】
さらに自動撮影の場合は、例えば、受付部２において利用者が望む楽曲の任意の箇所に撮影指令情報を挿入できるようにし、撮影室８１において当該撮影指令情報に基づいて自動撮影が行なえるようにしている。例えば、受付用モニタ１７に利用者が選択した楽曲の歌詞を表示し、利用者が入力手段１８を用いて、当該歌詞中の任意の箇所に撮影のタイミングを指定できるようにする。そして、例えば制御部１２では、利用者が選択した楽曲をデジタルデータとして呼び出して一時記憶し、利用者の入力手段１８の操作に応じて、撮影指令情報を当該一時記憶したデジタルデータ中に挿入するようにする。
【００８８】
以上のように、受付部２において利用者により選択された選曲データ、編集加工された編曲データ、指定された再生モード、設定された撮影方法に関する情報（撮影指令情報が挿入された楽曲のデジタルデータを含む）などの情報（以下、これらの情報を個別プレイ情報と総称する）は、少なくとも当該利用者がプレイを完全に終了するまで、制御部１２において記録され管理される。
【００８９】
ここで本実施形態の受付装置６は、待ち時間表示装置２１を更に有している。この待ち時間表示装置２１は、例えば収容ケース４７の上部に設けられており、硬貨受付機１６に硬貨が投入されることによって、受付プロセスの制限時間（４分０秒）が表示され、以後、０分０秒まで１秒ずつカウントダウンされるようになっている。この待ち時間表示装置２１に表示される時間は、受付プロセスを行なっている利用者にとっては、受付処理（選曲、編曲、撮影方法の選択）を行なえる残り時間を示すと共に撮影プロセスに進めるまでの待ち時間を示し、さらに、受付プロセスを行なっている利用者の直ぐ後に並ぶ利用者にとっては、次に自分達が受付プロセスに進めるまでの待ち時間を示す。例えば受付部２において誰も操作してない場合（但し、撮影、落書編集、出力が行われている可能性はある）、待ち時間表示装置２１は０分０秒を示す。また、図１に示した状態の如く、出力待ちをしている第１組の利用者Ｒ１、落書編集しながら熱唱している第２組の利用者Ｒ２、撮影しながら熱唱している第３組の利用者Ｒ３、受付部２で操作中の第４組の利用者Ｒ４に続いて、順番に第５組の利用者Ｒ５が並んでいたとし、第４組の利用者Ｒ４が硬貨受付機１６に硬貨を投入してから３２秒を経過した時点での待ち時間表示装置２１が示す時間は３分２８秒であり、且つカウントダウンされている。
【００９０】
例えば本実施形態では、受付プロセスの制限時間経過後に、撮影部移動案内手段により、利用者に対して撮影室８１への移動が案内される。この撮影部移動案内手段は、例えば受付用モニタ１７でのメッセージ表示やスピーカ２０からのアナウンスの一方又は双方を利用して実現できる。尚、受付内容（選曲、編曲、撮影方法の選択）が決定されていても、受付プロセスの制限時間経過前である場合、本実施形態の撮影部移動案内手段では、利用者に対して待機を指示するようにしている。但し、受付プロセスの制限時間に達していなくても、撮影室８１が空き状態となっていれば、利用者に対して撮影室８１への移動を案内するようにしても良い。
【００９１】
次に、撮影室８１について説明する。本実施形態の撮影室８１は、例えば箱型の空間（撮影スペースとも呼ぶ）を成すように構成されている。この撮影室８１は、音が室外に漏れないように防音性を考慮した設計とすることが望ましい。この撮影室８１の一壁面には、撮影装置７と第１楽曲演奏装置８とが備えられている。
【００９２】
第１楽曲演奏装置８は、例えば楽曲が記録された楽曲記録装置２２と、楽曲記録装置２２に記録された楽曲を再生する再生装置２３と、再生装置２３で再生される音声信号を増幅するアンプ２４と、音声信号を音声振動に変換して出力する音声出力装置としてのスピーカ２５等で構成されている。さらに例えば本実施形態では、楽曲記録装置２２には楽曲と対応した歌詞データと映像データも記録されており、第１楽曲演奏装置８は、楽曲の再生に合わせて歌詞データおよび映像データを表示する表示装置２６を備えている。このような第１楽曲演奏装置８として、例えば既存のカラオケ装置を利用しても良い。本実施形態においては、一般にコマンダーと呼ばれる選曲用のリモートコントローラに相当する操作は、受付部２にて行われているが、場合によっては第１楽曲演奏装置８に、選曲、曲の中止、再選曲等の操作を行なうための操作部を設けても良い。
【００９３】
また、例えば本実施形態の第１楽曲演奏装置８は、音声入力装置としてのマイクロホン２７を備えている。但し、マイクロホン２７は必ずしも備えなくても良く、スピーカ２５から再生される曲に合わせて利用者が大声で歌っても良い。尚、第１楽曲演奏装置８が備えるマイクロホン２７の数は特に限定されず、その種類もコードレスマイク、スタンドマイク、固定マイク等々、特に限定されない。
【００９４】
例えば本実施形態では、複数の楽曲及びこれらに夫々対応した歌詞データと映像データがデジタルデータとして記録された記録装置４４が制御部１２に備えられている。この記録装置４４は、例えば周知の通信カラオケ装置で用いられるハードディスクであり、例えば制御部１２が有する通信手段（図示省略）を介して、この記録装置４４に新曲を追加したり遠隔にあるサーバから楽曲データ、歌詞データ、映像データ等を必要に応じてダウンロードする事も可能となっている。第１楽曲演奏装置８の楽曲記録装置２２には、受付部２にて利用者が選択した楽曲データまたは編集した編曲データと、これに対応する歌詞データと映像データとが、制御部１２から転送されて記録される。尚、例えば楽曲編集を行なわない場合には、楽曲が記録された媒体（レーザディスクやＤＶＤなど）を複数備え、受付部２での利用者の選曲に応じた媒体を選択して再生装置２３まで移動するチェンジャー等を楽曲記録装置２２として用いても良い。
【００９５】
第１楽曲演奏装置８では、制御部１２の指令に従って、楽曲記録装置２２に転送された楽曲データ、歌詞データ、映像データを再生する。尚、楽曲を開始するタイミングは、利用者が受付部２から撮影室８１内に入り終わる迄の移動時間を考慮することが好ましい。但し、第１楽曲演奏装置８にスタートボタンを設け、利用者が設定時間よりも早く撮影室８１に移動してきた場合などは、当該スタートボタンに対する利用者の操作により、楽曲再生を開始するようにしても良い。第１楽曲演奏装置８での楽曲再生が開始されると、撮影装置７は撮影可能状態となる。
【００９６】
本実施形態の撮影装置７は、利用者の画像を撮影する撮像手段２８と、照明装置２９と、撮影候補画像（即ち撮影開始前の撮影対象画像）または撮影画像（即ち撮影直後の画像）の一方又は双方を表示する表示装置３０と、シャッタ音や撮影のタイミング等を案内するスピーカ２５を有している。本実施形態の撮像手段２８は、例えば撮像素子としてＣＣＤを備えたデジタルカメラ（ＣＣＤカメラ）である。
【００９７】
例えば本実施形態では、第１楽曲演奏装置８の表示装置２６とは別に撮影装置７の表示装置３０を設けるようにしている。以下、第１楽曲演奏装置８が備える表示装置をカラオケ用モニタ２６と呼び、撮影装置７が備える表示装置を撮影用モニタ３０と呼ぶ。これらのモニタ２６，３０にはＣＲＴや液晶ディスプレイなど既知の装置を用いて良い。尚、撮影用モニタ３０には例えばカラオケ用モニタ２６よりも小型のモニタを用いている。但し、第１楽曲演奏装置８と撮影装置７とで表示装置を共用しても良い。この場合、撮影候補画像が表示されている画面上に、現在再生されている楽曲の歌詞を合成表示するようにしても良い。若しくは、１つのモニタを分割画面表示し、一方の画面にカラオケ用画像を表示し、他方の画面に撮影用画像を表示するようにしても良い。尚、本実施形態の場合、第１楽曲演奏装置８と撮影装置７とでスピーカ２５を共用するようにしているが、勿論、それぞれに別のスピーカを設けても構わない。
【００９８】
撮影方法には、上述したように自動撮影と手動撮影とがあり、どちらかの撮影方法が受付部２で選択されている。自動撮影の場合、例えば楽曲を再生している再生装置２３において楽曲データに挿入された撮影指令情報が検出されると、ＣＣＤカメラ２８に対して撮影指令が出されるようにする。当該撮影指令を検出したＣＣＤカメラ２８は、現時点で撮像素子（ＣＣＤ）から取り込まれている画像情報を記憶するようにする。撮影指令情報を楽曲が盛り上がる箇所（例えば曲のサビなど）に挿入しておくと、利用者は撮影のポーズを作り易くなる。一方、楽曲編集によって利用者が通常経験し得ない曲が再生される中での自動撮影は、利用者が予想できない撮影タイミングとなる事が期待され、当該タイミングに連れられて面白いポーズの撮影が得られる可能性が有り、その面白く写ったポーズが、次に行う落書編集をより一層楽しくさせる結果となり得る。
【００９９】
ここで、カラオケ用モニタ２６で表示する映像データには、楽曲に合わせた振り付け映像（アニメーションまたは実写のいずれでも良い）を含めることが好ましい。この場合、利用者は、カラオケ用モニタ２６で表示される振り付け映像を真似て、歌に合わせて踊ることができ、踊っている利用者のボーズのタイミングに合わせての撮影が可能となり、面白みのある画像を得ることができる。尚、振り付け映像が無い場合あるいは振り付け映像を無視した場合でも、楽曲が演奏される中での撮影は、利用者全員の身体が曲のリズムに乗り易く、ポーズを決める楽しさが得られる環境となっている。
【０１００】
また、本実施形態の撮影装置７は、手動撮影用のシャッタ手段３１を有している。シャッタ手段３１に対する利用者の操作により、シャッタ手段３１からＣＣＤカメラ２８に対して撮影指令が出され、当該撮影指令を検出したＣＣＤカメラ２８は、現時点で撮像素子（ＣＣＤ）から取り込まれている画像情報を記憶するようにする。尚、受付部２にて自動撮影が選択されている場合でも、例えば予め定めた回数だけ手動撮影が行なえるようにしても良い。
【０１０１】
例えば本実施形態では、マイクロホン２７の握り手部分にシャッタ手段３１としてのスイッチを設けるようにしている。この場合、利用者はマイクロホン２７を用いて歌いながら、任意のタイミング（例えば楽曲の乗りの良いタイミング）でシャッタをきる事が可能となる。また、不意をついたシャッタタイミングを自ら演出して撮影を楽しむ事ができる。但し、シャッタ手段３１は、マイクロホン２７に設けたスイッチには限られない。例えば、利用者がＣＣＤカメラ２８に向かって立つ位置から届く範囲に床置きタイプのフットスイッチ型シャッタを設け、利用者が任意のタイミングでシャッタをきれる構造としても良い。さらに、非接触タイプのシャッタ手段３１を採用しても良い。例えば、赤外線センサなどを利用して、利用者の動作（例えば手を近づける等の行為）からシャッタ操作を検知して、ＣＣＤカメラ２８に対して撮影指令を出すようにしても良い。
【０１０２】
また、本実施形態の撮影装置７には、撮影した画像をキャンセルして撮り直しをするためのキャンセルボタン（図示略）が設けられている。このキャンセルボタンは、通常は撮影用モニタ３０の近傍すなわち撮影装置７本体に設けられるが、マイクロホン２７の握り手部分に設けるようにしても良い。この場合、利用者は撮影に失敗したと思ったら、歌いながら直ちに当該撮影画像をキャンセルでき、歌を中断することなく撮り直しを行なえ、撮影時間を有効に使える。
【０１０３】
撮影装置７で得られた撮影画像は、受付部２で選択された個別プレイ情報と共に制御部１２において記録され管理される。尚、撮影プロセスの制限時間（本実施形態では４分）内で撮影可能な数は、例えば１０〜２０ショット位としている。
【０１０４】
ここで、本実施形態の撮影室８１には、編集部４への移動を案内する編集部移動案内手段が設けられている。この編集部移動案内手段は、例えばカラオケ用モニタ２６または撮影用モニタ３０でのメッセージ表示と、スピーカ２５からのアナウンスとの一方又は双方を利用して実現できる。例えば、撮影プロセスの制限時間に近づくと、第１楽曲演奏装置８による楽曲再生は、受付部２で選択された再生モードに従って強制終了され、編集部移動案内手段により、利用者に対して編集室８２への移動が案内される。この時、受付部２での受付を終えた次の組の利用者がいると、ほぼ同時に撮影室８１に入って来る事となる。
【０１０５】
次に、編集室８２について説明する。本実施形態の編集室８２は、例えば箱型の空間（編集スペースとも呼ぶ）を成すように構成されている。この編集室８２は、音が室外に漏れないように防音性を考慮した設計とすることが望ましい。この編集室８２の一壁面には、編集装置９と第２楽曲演奏装置１０とが備えられている。
【０１０６】
編集装置９は、撮影室８１で撮影された画像が表示される表示装置３８と、この表示装置３８に表示された画像に対して利用者が落書を行なうための落書入力装置３９と、落書入力装置３９から送られる信号を反映した画像を表示装置３８に出力する落書コントローラ（表示プロセッサ）４０とを有している。
【０１０７】
この表示装置３８は、例えばＣＲＴや液晶ディスプレイなどのモニタであり、以下落書用モニタ３８と呼ぶ。落書用モニタ３８には、落書編集の入力を補助する為の落書編集用画面が、制御部１２に記録された落書編集用プログラムに従って表示される。この落書編集用画面には撮影室８１で撮影された画像が含まれる。また、落書入力装置３９は、例えば落書用モニタ３８の表面に一体的に取り付けられるタッチパネル３９ａと、その近傍に設けた落書ペン３９ｂとで構成されている。タッチパネル３９ａは、落書用モニタ３８の画面に触れる落書ペン３９ｂの座標的位置を感知して、当該座標的位置に応じた信号を落書コントローラ４０に送る。尚、タッチパネル３９ａは、人間の指先の接触にて感知するタイプとしても良い。落書コントローラ４０は、タッチパネル３９ａから送られる信号と、制御部１２に記録されている落書編集用プログラムとに基づいて決定される落書画像を撮影画像に合成する画像処理を行い、当該合成された結果である編集画像を落書用モニタ３８に表示する。例えば撮影画像の各画素のうち、落書ペン３９ｂでなぞられた箇所に対応する画素だけが特定色の情報に変更されたり、タッチパネル３９ａで選択された絵柄が撮影画像に重ねられて表示される。これにより、利用者は、落書用モニタ３８を見ながら画面上に絵や文字を書く感覚で、連続的且つ継続的に画像の編集加工が行える。そして、例えば利用者が落書ペン３９ｂを用いて落書用モニタ３８に表示された確定ボタンを選択することで、編集画像データが、受付部２で選択された個別プレイ情報と共に制御部１２において記録され管理される。
【０１０８】
一方、第２楽曲演奏装置１０は、例えば第１楽曲演奏装置８と同様の構成であり、楽曲および歌詞データおよび映像データが記録される楽曲記録装置３２と、楽曲記録装置３２に記録された楽曲を再生する再生装置３３と、音声入力装置としてのマイクロホン３７と、マイクロホン３７および再生装置３３から出力される音声信号を増幅するアンプ３４と、音声信号を音声振動に変換する音声出力装置としてのスピーカ３５と、楽曲の再生に合わせて楽曲記録装置３２に記録された歌詞データおよび映像データを表示する表示装置（カラオケ用モニタ）３６などで構成されている。
【０１０９】
但し、第２楽曲演奏装置１０と編集装置９とで表示装置を共用しても良い。この場合、編集対象画像が表示されている画面上に、現在再生されている楽曲の歌詞を合成表示するようにしても良い。若しくは、１つのモニタを分割画面表示し、一方の画面にカラオケ用画像を表示し、他方の画面に編集用画像を表示するようにしても良い。
【０１１０】
第２楽曲演奏装置１０では、受付部２で選択された再生モードを反映した制御部１２の指令に従って、楽曲記録装置３２に転送された楽曲データ、歌詞データ、映像データを再生する。尚、楽曲を開始するタイミングは、撮影室８１から編集室８２への利用者の移動時間を考慮することが好ましい。但し、第２楽曲演奏装置１０にスタートボタンを設け、利用者が設定時間よりも早く編集室８２に移動してきた場合などは、当該スタートボタンに対する利用者の操作により、楽曲再生を開始するようにしても良い。
【０１１１】
図１の例では、二人組みより成る第２組の利用者Ｒ２の一方の者がカラオケを唄っており、他方の者が落書編集を行なっている状態を示している。ここで、本実施形態における編集プロセスの制限時間は４分に設定されており、１曲が歌える時間となっているが、受付部２での楽曲編集において、編集室８２で再生する１曲目を２分でカットし、更に他の曲をもう１曲選び、その曲も２分の所でカットする様に設定すれば、落書編集を途中で交代して、これらの２曲を楽しむ事もできる。尚、編集室８２において、編集プロセスの制限時間内に落書編集作業を終了する事も可能である。この場合は、残存時間内において全員でカラオケを楽しむことができる。さらに、編集プロセスの制限時間内に楽曲再生のみを終了させて、残存時間内において全員で静かに落書編集を楽しむことも可能である。
【０１１２】
ここで、本実施形態の編集室８２には、出力部５への移動を案内する出力部移動案内手段が設けられている。この出力部移動案内手段は、例えばカラオケ用モニタ３６または落書用モニタ３８でのメッセージ表示と、スピーカ３５からのアナウンスとの一方又は双方を利用して実現できる。例えば、編集プロセスの制限時間に近づくと、第２楽曲演奏装置１０による楽曲再生は強制終了され、出力部移動案内手段により、利用者に対して出力部５への移動が案内される。この時、撮影室８１での撮影を終えた次の組の利用者がいると、ほぼ同時に編集室８２に入って来る事となる。
【０１１３】
次に、出力装置１１について説明する。本実施形態の出力装置１１は、例えば印刷媒体としてのシールに対して、制御部１２より送られてくる編集画像データを印刷するプリンタである。収容ケース４７の出口１５側の面には、プリンタ１１から出力される印刷シールを取り出すためのシール取出口４８が設けられている。
【０１１４】
図４に画像印刷装置１のハードウェア構成の一例を示すブロック図を示す。制御部１２は、例えば制御装置（例えば一台又は複数台のＣＰＵ（Central Processing Unit））４１と、ＲＯＭ（Read Only Memory）４２と、ＲＡＭ（Random Access Memory）４３と、記録装置４４（例えばハードディスク）と、一時記憶装置４５（例えばＲＡＭやハードディスク）などを備え、制御装置４１は、ＲＯＭ４２に記憶されている制御プロブラムおよび記録装置４４に格納されている受付用プログラムや落書編集用プログラム等に基づいて、受付部２、撮影部３、編集部４、出力部５のコントロールを、バス４６を通して行う。上記のコントロールが可能であるように、受付装置６が備える意思確認手段としての硬貨受付機１６、受付用モニタ１７、入力手段１８、デモ用楽曲再生装置１９、スピーカ２０、待ち時間表示装置２１、撮影室８１に備えられた楽曲記録装置２２、再生装置２３、カラオケ用モニタ２６、スピーカ２５、ＣＣＤカメラ２８、照明装置２９、撮影用モニタ３０、編集室８２に備えられた楽曲記録装置３２、再生装置３３、カラオケ用モニタ３６、スピーカ３５、落書コントローラ４０、出力装置としてのプリンタ１１は、バス４６を介して制御装置４１に電気的に接続されている。尚、デモ用楽曲再生装置１９で再生される音声信号をスピーカ２０から出力できるように、デモ用楽曲再生装置１９とスピーカ２０が電気的に接続されている。また、第１楽曲演奏装置８においてカラオケ演奏が可能であるように、楽曲記録装置２２は再生装置２３に、この再生装置２３およびマイクロホン２７はアンプ２４に、このアンプ２４はスピーカ２５に、また、再生装置２３はカラオケ用モニタ２６に、それぞれ電気的に接続されている（尚、第２楽曲演奏装置１０も同様である）。また、落書編集が可能であるように、落書コントローラ４０には、落書用モニタ３８とタッチパネル３９ａとがそれぞれ電気的に接続されている。
【０１１５】
制御部１２のＲＡＭ４３は、制御装置４１からの制御用データやバス４６に接続された各装置からの作業データ等を一時的に記憶する働きをする。また、一時記憶装置４５には、画像印刷装置１でプレイする各利用者の組ごとに独立した個別の記録領域が割り当てられ、当該記録領域は例えば少なくとも受付開始時から出力が終了するまで確保されるようにしている。尚、ＲＡＭ４３や記録装置４４の記録領域の一部を一時記憶装置４５として利用しても良い。
【０１１６】
次に、画像印刷装置１が行なう処理の一例を、図５から図１２に示すフローチャートに基づいて説明する。本体電源投入後には、先ず初期化処理が行われ、その後、利用者の各組に対して、受付プロセス、撮影プロセス、編集プロセス、出力プロセスが順に実行される。上述したように、受付プロセス、撮影プロセス、編集プロセス、出力プロセスは、それぞれ独立したプロセスとなっており、それぞれが並列に処理できるようになっている。各プロセスについて、以下に詳細に説明する。
【０１１７】
図５に、受付プロセスを詳細化したフローチャートの一例を示す。本実施形態の受付プロセスでは、先ず受付用モニタ１７にデモ画面を表示して、受付が可能な状態、即ち受付待ち状態とする（Ｓ１−１）。例えばＣＰＵ４１の命令により、記録装置４４からデモ画面用のデータが読み込まれて、バス４６を介して受付用モニタ１７に表示するようにする。ここで、例えば本実施形態では、硬貨受付機１６に代金が投入された場合に、ＣＰＵ４１に割込み信号（以下、スタート指令と呼ぶ。）が送られるようになっている。硬貨受付機１６からのスタート指令がＣＰＵ４１により確認されるまでは、デモ画面が表示されている（Ｓ１−２；Ｎｏ，Ｓ１−１）。一方、硬貨受付機１６からのスタート指令がＣＰＵ４１により確認されると（Ｓ１−２；Ｙｅｓ）、プレイ条件設定処理（Ｓ１−３）が開始されると共に、受付用タイマがスタートする（Ｓ１−４）。受付用タイマの時間は、例えば受付制限時間（本実施形態では４分）を超過しないようにＣＰＵ４１により監視され（Ｓ１−５）、受付用タイマの時間が受付制限時間いっぱいとなると（Ｓ１−５；Ｙｅｓ）、ＣＰＵ４１によりプレイ条件設定処理に対して割り込みがかけられる（Ｓ１−６）。また、受付制限時間から受付用タイマの時間を引いた時間（即ち、受付プロセスの残り時間）を表す情報が、ＣＰＵ４１からバス４６を介して待ち時間表示装置２１に伝えられ、当該受付プロセスの残り時間が待ち時間表示装置２１にて表示される。
【０１１８】
図６に、プレイ条件設定処理（Ｓ１−３）を詳細化したフローチャートの一例を示す。このプレイ条件設定処理が開始されると、先ず、一時記憶装置４５内に、利用者個別の記録領域（以下、利用者個別記録領域と呼ぶ。）が設けられる（Ｓ１−３−１）。この利用者個別記録領域は、例えば本実施形態では、最終画像データがプリンタ１１に転送されるまで、利用者の各組個々に割り当てられる一時的な記録領域である。さらに、この利用者個別記録領域には、選択された楽曲の情報（選曲データ）が記録される領域と、編集された楽曲の情報（編曲データ）が記録される領域と、指定された再生モードを示す情報や撮影方法に関する情報が記録される領域と、撮影画像や編集画像データが記録される領域等が設けられる。
【０１１９】
そして、受付用モニタ１７に楽曲選択用画面を表示して、利用者が入力手段１８を用いて希望する楽曲を選択できるようにする（Ｓ１−３−２）。また、利用者が楽曲編集を希望する場合には（Ｓ１−３−３；Ｙｅｓ）、受付用モニタ１７に楽曲編集用画面を表示して、利用者が入力手段１８を用いて選択した楽曲を編集できるようにする（Ｓ１−３−４）。利用者が選択した楽曲または編集した楽曲のデータは、デモ用楽曲再生装置１９に転送され、その場でデモ用楽曲再生装置１９により再生される。利用者はデモ再生をスピーカから若しくはヘッドホンから聴いて確認しながら、希望する任意の数の楽曲を選択し、また編集できる（Ｓ１−３−５；Ｎｏ，Ｓ１−３−２，Ｓ１−３−３，Ｓ１−３−４）。選曲または編曲の内容が確定したら（Ｓ１−３−５；Ｙｅｓ）、次に、受付用モニタ１７にプレイ方法選択用画面を表示して、利用者が入力手段１８を用いて希望する再生モードや撮影方法を選択できるようにする（Ｓ１−３−６，Ｓ１−３−７）。以上のように、受付部２において利用者により選択された個別プレイ情報（選曲データ、編集加工された編曲データ、指定された再生モード、設定された撮影方法に関する情報等）は、利用者個別記録領域に記録される（Ｓ１−３−８）。
【０１２０】
その後、ＣＰＵ４１によりプレイ条件設定処理に対して割り込みがかけられるまでは、利用者に待機が指示される（Ｓ１−３−９；Ｎｏ，Ｓ１−３−１０）。一方、受付用タイマの時間が受付制限時間いっぱいとなり、ＣＰＵ４１によりプレイ条件設定処理に対して割り込みがかけられると（図５のＳ１−６，図６のＳ１−３−９；Ｙｅｓ）、プレイ条件設定処理は終了し、利用者に撮影室８１への移動が指示される（図５のＳ１−７）。当該待機または移動の指示は、スピーカ２０を用いた音声によるメッセージと、受付用モニタ１７を用いた画面表示によるメッセージとの、一方または双方を利用して良い。そして、次のプロセスである撮影プロセスに、利用者個別記録領域の一時記憶装置４５内のアドレスを通知する（Ｓ１−８）。尚、当該通知は、例えば一時記憶装置４５内の特定の領域に上記アドレスを書き込み、撮影プロセスの処理の中で当該特定領域のデータを読み込むことによって実現できる。
【０１２１】
以上により、ある一組の利用者について、受付プロセスが終了する。受付プロセスは終了後、次の利用者の受け入れを可能にする初期状態（Ｓ１−１）に戻り、後続の利用者の組がある場合には、当該後続の利用者の組に対して、続いて次の受付プロセスが行なわれる。
【０１２２】
ここで、受付用タイマにより割り込みが発生した場合には（Ｓ１−６）、途中であってもプレイ条件設定処理（Ｓ１−３）を終了するようにしても良い。この場合、例外処理として次のような処理を行なうようにしても良い。例えば、プレイ条件設定処理が終了する段階で選択されている個別プレイ情報を利用者個別記録領域に記録し、且つ個別プレイ情報に不足がある場合は、予め定めたデフォルト情報を利用者個別記録領域に記録して、Ｓ１−７以降の処理へと進めるようにする。或いは、代金を返却する等して、Ｓ１−７以降の処理を行なわずに、受付プロセスを次の利用者の受け入れを可能にする初期状態（Ｓ１−１）に戻すようにしても良い。
【０１２３】
次に図７に、撮影プロセスを詳細化したフローチャートの一例を示す。本実施形態の撮影プロセスでは、受付プロセスからの通知（図５のＳ１−８）があるまでは待機状態となっている（図７のＳ２−１，Ｓ２−２；Ｎｏ）。そして、受付プロセスからの通知を検出すると（Ｓ２−２；Ｙｅｓ）、当該通知された利用者個別記録領域のアドレスに基づいて、処理対象となる利用者個別記録領域を特定する（Ｓ２−３）。そして、撮影処理（Ｓ２−４）および楽曲再生処理（Ｓ２−５）が開始されると共に、撮影用タイマがスタートする（Ｓ２−６）。撮影用タイマの時間は、例えば撮影制限時間（本実施形態では４分）から余裕時間（利用者の移動時間を考慮した時間で、例えば数秒ないし数十秒）を差し引いた時間（実質上の制限時間）を超過しないようにＣＰＵ４１により監視される（Ｓ２−７）。撮影用タイマの時間がリミットに達すると（Ｓ２−７；Ｙｅｓ）、撮影処理（Ｓ２−４）および楽曲再生処理（Ｓ２−５）に対してＣＰＵ４１により割り込みがかけられる（Ｓ２−８）。
【０１２４】
図８に、撮影処理を詳細化したフローチャートの一例を示す。この撮影処理が開始されると、先ず、撮像手段２８としてのＣＣＤカメラ２８が起動され（Ｓ２−４−１）、ＣＰＵ４１からの割り込みが発生するまで以下の処理が進められる（Ｓ２−４−２；Ｎｏ）。即ち、ＣＣＤカメラ２８より順次取り込まれる撮影候補画像が撮影用モニタ３０に表示される（Ｓ２−４−３）。そして、シャッタ手段３１により又は楽曲再生処理（Ｓ２−５）の中で、撮影指令が出されると（Ｓ２−４−４；Ｙｅｓ）、利用者個別記録領域に記録された設定内容に従って撮影が行われる（Ｓ２−４−５）。撮影された画像は利用者個別記録領域に格納される（Ｓ２−４−６）。当該撮影画像は、例えば一定時間（例えば数秒）だけ撮影用モニタ３０に表示され（Ｓ２−４−７）、その後、撮影用モニタ３０にはＣＣＤカメラ２８より順次取り込まれる撮影候補画像が表示される（Ｓ２−４−３）。撮影用タイマの時間がリミットに達し、ＣＰＵ４１により撮影処理に対して割り込みがかけられると（図７のＳ２−８，図８のＳ２−４−２；Ｙｅｓ）、ＣＣＤカメラ２８が停止され（Ｓ２−４−８）、撮影処理は終了する。
【０１２５】
一方、図９に、楽曲再生処理（Ｓ２−５）を詳細化したフローチャートの一例を示す。この楽曲再生処理が開始されると、利用者個別記録領域に記録された設定内容に従って楽曲の再生が開始される（Ｓ２−５−１）。例えばＣＰＵ４１の命令により、利用者個別記録領域に記録された選曲データから特定される楽曲のデータが記録装置４４から楽曲記録装置２２に転送され、また、利用者個別記録領域に記録された編曲データが楽曲記録装置２２に転送され、再生装置２３により再生される。楽曲記録装置２２には、利用者が選択あるいは編集した任意の数の楽曲が時系列順（即ち、選択又は編集された順番）に記録され、ＣＰＵ４１からの割り込みが発生するまで、当該時系列順に再生装置２３により連続的に再生される（Ｓ２−５−２；Ｎｏ，Ｓ２−５−３）。尚、楽曲記録装置２２に記録される任意の数の楽曲に対して時系列順に連続番号を付与した場合の当該連続番号を曲番と呼ぶ。
【０１２６】
ここで、受付部２における撮影方法の選択で自動撮影が選択されていると、本実施形態の場合、楽曲記録装置２２に記録された楽曲データの中には撮影指令情報が挿入される。再生装置２３による楽曲の再生中に、この撮影指令情報が検出されると（Ｓ２−５−４；Ｙｅｓ）、例えば再生装置２３またはＣＰＵ４１からＣＣＤカメラ２８に撮影指令が出される（Ｓ２−５−５）。
【０１２７】
撮影用タイマの時間がリミットに達し、ＣＰＵ４１により楽曲再生処理に対して割り込みがかけられると（図７のＳ２−８，図９のＳ２−５−２；Ｙｅｓ）、フェードアウトにより楽曲の再生が終了する（Ｓ２−５−６）。そして、利用者個別記録領域で指定されている楽曲の再生モードが第１のモードである場合には（Ｓ２−５−７；第１モード）、例えば当該終了した楽曲の曲番と、当該楽曲の終了時の再生時間とを、利用者個別記録領域に記録する（Ｓ２−５−８）。一方、再生モードが第２のモードである場合には（Ｓ２−５−７；第２モード）、例えば当該終了した楽曲の曲番を、利用者個別記録領域に記録する（Ｓ２−５−９）。以上で楽曲再生処理（Ｓ２−５）が終了する。
【０１２８】
撮影処理（Ｓ２−４）および楽曲再生処理（Ｓ２−５）の双方が終了すると、利用者に編集室８２への移動が指示される（図７のＳ２−９）。当該移動の指示は、スピーカ２５を用いた音声によるメッセージと、カラオケ用モニタ２６または撮影用モニタ３０を用いた画面表示によるメッセージとの、一方または双方を利用して良い。そして、次のプロセスである編集プロセスに、利用者個別記録領域の一時記憶装置４５内のアドレスを通知する（Ｓ２−１０）。尚、当該通知は、例えば一時記憶装置４５内の特定の領域に上記アドレスを書き込み、編集プロセスの処理の中で当該特定領域のデータを読み込むことによって実現できる。
【０１２９】
以上により、ある一組の利用者について、撮影プロセスが終了する。撮影プロセスは終了後、次の利用者の受け入れを可能にする初期状態（Ｓ２−１）に戻り、後続の利用者がある場合には、当該後続の利用者に対して、続いて次の撮影プロセスが行なわれる。尚、楽曲再生処理（Ｓ２−５）は、撮影用タイマによる割り込みによらず、利用者の意思で（例えば終了ボタンを押す等）により終了できるようにしても良い。この場合でも、例えば撮影処理（Ｓ２−４）が終了するまではＳ２−９以降の処理には進まないようにする。
【０１３０】
次に図１０に、編集プロセスを詳細化したフローチャートの一例を示す。本実施形態の編集プロセスでは、撮影プロセスからの通知（図７のＳ２−１０）があるまでは待機状態となっている（図１０のＳ３−１，Ｓ３−２；Ｎｏ）。そして、撮影プロセスからの通知を検出すると（Ｓ３−２；Ｙｅｓ）、当該通知された利用者個別記録領域のアドレスに基づいて、処理対象となる利用者個別記録領域を特定する（Ｓ３−３）。そして、編集処理（Ｓ３−４）および楽曲再生処理（Ｓ３−５）が開始されると共に、編集用タイマがスタートする（Ｓ３−６）。編集用タイマの時間は、例えば編集制限時間（本実施形態では４分）から余裕時間（利用者の移動時間を考慮した時間で、例えば数秒ないし数十秒であり撮影プロセスの余裕時間と同じとする）を差し引いた時間（実質上の制限時間）を超過しないようにＣＰＵ４１により監視される（Ｓ３−７）。編集用タイマの時間がリミットに達すると（Ｓ３−７；Ｙｅｓ）、編集処理（Ｓ３−４）および楽曲再生処理（Ｓ３−５）に対してＣＰＵ４１により割り込みがかけられる（Ｓ３−８）。
【０１３１】
図１１に、編集処理を詳細化したフローチャートの一例を示す。この編集処理が開始されると、落書用モニタ３８に落書編集用画面が表示される（Ｓ３−４−１）。例えばＣＰＵ４１の命令により、利用者個別記録領域に格納された撮影画像と記録装置４４に格納された落書編集用プログラムのデータとが読み込まれて、先に撮影室８１で撮影された画像を含んだ落書編集用画面が落書用モニタ３８に表示される。ＣＰＵ４１からの割り込みが発生するまで、利用者は落書ペン３９ｂを用いて、落書用モニタ３８の表面に一体的に取り付けられたタッチパネル３９ａ上で選択した撮影画像に対して落書入力を行なうことができる（Ｓ３−４−２；Ｎｏ，Ｓ３−４−３）。これにより編集画像データが作成され、落書用モニタ３８には利用者の落書入力を反映した落書編集用画面が表示される（Ｓ３−４−４）。編集用タイマの時間がリミットに達し、ＣＰＵ４１により編集処理に対して割り込みがかけられると（図１０のＳ３−８，図１１のＳ３−４−２；Ｙｅｓ）、作成された編集画像データは利用者個別記録領域に格納される（Ｓ３−４−５）。これにより編集処理（Ｓ３−４）は終了する。尚、編集処理は、編集用タイマによる割り込みによらず、利用者の意思で、例えば落書編集用画面上の終了ボタンを選択する等により終了できるようにしても良い。この場合、残存時間内において全員でカラオケを楽しむことができる。
【０１３２】
一方、図１２に、楽曲再生処理（Ｓ３−５）を詳細化したフローチャートの一例を示す。この楽曲再生処理が開始されると、利用者個別記録領域で指定されている楽曲の再生モードに応じて、楽曲の再生が開始される（Ｓ３−５−１，Ｓ３−５−２，Ｓ３−５−３）。例えばＣＰＵ４１の命令により、編集室８２の楽曲記録装置３２には、撮影室８１の楽曲記録装置２２と同様に、利用者個別記録領域に記録された選曲データから特定される楽曲のデータが記録装置４４から転送され、また、利用者個別記録領域に記録された編曲データが転送される。ただし、再生を開始する箇所は、先頭からではなく選択された再生モードにより定められる。即ち、第１の再生モードが選択されている場合は（Ｓ３−５−１；第１モード）、利用者個別記録領域に記録されている撮影室８１で終了した楽曲の曲番と、当該楽曲の終了時の再生時間とに基づいて、当該楽曲の続きを再生するようにする（Ｓ３−５−２）。一方、第２の再生モードが選択されている場合は（Ｓ３−５−１；第２モード）、利用者個別記録領域に記録されている撮影室８１で終了した楽曲の曲番に基づいて、当該曲番の次の曲番にあたる楽曲を再生するようにする（Ｓ３−５−３）。そして、ＣＰＵ４１からの割り込みが発生するまで、再生装置２３により連続的に楽曲が再生される（Ｓ３−５−４；Ｎｏ，Ｓ３−５−５）。やがて編集用タイマの時間がリミットに達し、ＣＰＵ４１により楽曲再生処理に対して割り込みがかけられると（図１０のＳ３−８，図１２のＳ３−５−４；Ｙｅｓ）、フェードアウトにより楽曲の再生が終了する（Ｓ３−５−６）。以上で楽曲再生処理（Ｓ３−５）が終了する。尚、楽曲再生処理（Ｓ３−５）は、編集用タイマによる割り込みによらず、利用者の意思で（例えば終了ボタンを押す等）により終了できるようにしても良い。この場合、残存時間内において全員で静かに落書編集を楽しむことも可能である。
【０１３３】
編集処理（Ｓ３−４）および楽曲再生処理（Ｓ３−５）の双方が終了すると、利用者個別記録領域に格納された編集画像データは、プリンタ１１が備えるメモリに転送される（Ｓ３−９）。例えば、編集画像データは、プリンタ１１の出力用紙（シール）に対応するようにレイアウト等を調整され、プリント出力用のデータ形式に変換されて、プリントジョブとしてプリンタキューに追加される。そして、利用者に出力部５への移動が指示される（Ｓ３−１０）。当該移動の指示は、スピーカ３５を用いた音声によるメッセージと、カラオケ用モニタ３６または落書用モニタ３８を用いた画面表示によるメッセージとの、一方または双方を利用して良い。尚、プリンタ１１へのプリント出力の指示は、編集制限時間の終了予定時刻よりもプリントに要する時間だけ手前に発するようにして、利用者が編集室８２の外に出ると同時にプリントが終了するようにしても良い。
【０１３４】
以上により、ある一組の利用者について、編集プロセスが終了する。編集プロセスは終了後、次の利用者の受け入れを可能にする初期状態（Ｓ３−１）に戻り、後続の利用者の組がある場合には、当該後続の利用者の組に対して、続いて次の編集プロセスが行なわれる。
【０１３５】
出力プロセスでは、プリンタキューに溜まったプリントジョブを順番にプリントアウトしていく。本実施形態における出力プロセスは周知のプリンタ１１による処理であるので、詳細な説明は省略する。尚、停電後の復帰等のために、例えば不揮発性の記録装置４４に、利用者個別記録領域、プリントジョブ等の内容を記録しておくようにしても良い。プリンタ１１の正常出力が確認されると、利用者個別記録領域のデータはクリアされる。当該クリアされた一時記憶装置４５の領域は空き領域となり、新たな利用者のための利用者個別記録領域として利用可能となる。但し、プリンタ１１の正常出力後、直ちにクリアする必要は必ずしも無く、一定時間経過後、または一時記憶装置４５の空き容量が少なくなった場合にクリアするようにしても良い。
【０１３６】
図１には、第１組から第５組までの利用者Ｒ１〜Ｒ５を表示しているが、この状況は、５組の利用者Ｒ１〜Ｒ５が４分間隔以内に連続して並んでプレイをした場合で、フル稼働状態を示している。
【０１３７】
さらに、本発明の他の実施形態について以下に説明する。尚、以下に説明する他の実施形態において上述の実施形態と同様の構成については、同一符号を付してその詳細な説明を省略し、各実施形態特有の構造等について説明する。
【０１３８】
上述した第１の実施形態における撮影部移動案内手段は、受付プロセスの制限時間経過後に、利用者に対して撮影部３への移動を案内するようにしたが、本発明の第２実施形態における撮影部移動案内手段は、撮影部３における先行の利用者の存在の有無を表す情報に基づいて、撮影部３にて先行の利用者が存在しない場合は撮影部３への移動を案内し、撮影部３にて先行の利用者が存在する場合は待機を指示するようにしている。
【０１３９】
この場合、例えば制御部１２のＲＡＭ４３において、撮影部３における利用者の有無を表す情報として撮影中フラグを管理するようにする。そして、撮影プロセスの中で、ある利用者に対して撮影プロセスが開始された後に撮影中フラグを「１」とする処理と（図１４のＳ２−Ａ）、当該利用者に対する撮影プロセスが終了される時に撮影中フラグを「０」とする処理（図１４のＳ２−Ｂ）を加える。尚、撮影中フラグの初期値（例えば本体電源投入後の初期化処理で設定される値）は「０」とする。そして、受付プロセスにおけるプレイ条件設定処理の中で、この撮影中フラグの値を確認する処理（図１３のＳ１−３−Ａ）を加え、受付内容の決定後（即ち、図１３のＳ１−３−８の後）、受付プロセスの制限時間経過前であっても（Ｓ１−３−９；Ｎｏ）、撮影室８１に先行の組の利用者がいない場合には（Ｓ１−３−Ａ；Ｙｅｓ）、利用者に対して撮影室８１への移動を案内するようにする（図５のＳ１−７）。
【０１４０】
さらに、上述した第２実施形態において、受付プロセスに制限時間を設けないものとしても良い。この場合は、例えば受付プロセスにおける受付用タイマに関する処理（図５のＳ１−４，Ｓ１−５，Ｓ１−６）を省略するとともに、受付プロセスにおけるプレイ条件設定処理において、受付用タイマに起因する割り込みを確認する処理（図１３のＳ１−３−９）を省略するようにする。このような処理の場合、利用者は制限時間に縛られることなく受付を済ませることができ、当該受付を済ませた利用者には、撮影室８１に先行の利用者が存在する場合には待機が指示され、撮影室８１に先行の利用者が存在しない場合には撮影室８１への移動が案内される。
【０１４１】
さらに、第１の実施形態では、編集室８２を一つ有する構成としたが、本発明の第３の実施形態として、編集室８２を複数有する構成としても良い。この場合、撮影部３における編集部移動案内手段は、利用者を複数の編集室８２のうち空いている所に振り分けることが好ましい。この構成によれば、編集制限時間（即ち、編集室８２において落書編集と楽曲再生を楽しめる時間）を、「撮影制限時間×編集部の数」以下となる時間まで延長でき、しかも各利用者が滞ることなく順次各プロセスを進めることが可能となる。
【０１４２】
例えば図１５は、２つの編集室（即ち、第１編集室８２ａおよび第２編集室８２ｂ）を備えた画像印刷装置１の例を示す。図１５の例では、撮影室８１の両サイドに第１編集室８２ａおよび第２編集室８２ｂが設けられ、撮影室８１と第１編集室８２ａとの仕切りとなる壁には第１連絡口１３ａが設けられ、撮影室８１と第２編集室８２ｂとの仕切りとなる壁には第２連絡口１３ｂが設けられている。第１編集室８２ａと第２編集室８２ｂにはそれぞれ出口１５が設けられている。この構成の場合、例えば第１の実施形態では４分であった編集プロセスの制限時間を８分まで延長することができ、撮影室８１で約４分および編集室８２で約８分と約１２分のカラオケ時間を確保でき、例えば受付部２で「ノーマル選曲」を選択する場合、撮影室８１で１曲、編集室８２で２曲と、合計３曲の選択が可能になる。
【０１４３】
例えば複数組の利用者が連続している場合、受付部２で３曲のカラオケを選択した第１組目の利用者は、撮影室８１で撮影を行いながら１曲目のカラオケを約４分楽しむ。その後、第１組目の利用者が第１編集室８２ａへ移動するとほぼ同時に、第２組目の利用者が撮影室８１に入って来る。第１組目の利用者は、約８分の間、第１編集室８２ａで落書編集を行ないながら、２曲目および３曲目のカラオケを楽しむことができる。撮影室８１で約４分間の撮影とカラオケを楽しんだ第２組目の利用者は、第１組目の利用者が居る第１編集室８２ａではなく、空いている第２編集室８２ｂへと移動する。第２組目の利用者も、約８分の間、第２編集室８２ｂで落書編集を行ないながらカラオケを楽しむことができる。ここで、第２組目の利用者が第２編集室８２ｂへ移動するとほぼ同時に、第３組目の利用者が撮影室８１に入って来て、この第３組目の利用者が撮影室８１で約４分間の撮影とカラオケを終えて、第１編集室８２ａに移動する頃には、第１組目の利用者は、約８分間の落書編集とカラオケを終えて、出力部５へと移動することとなる。尚、約８分間の編集制限時間のうち落書編集を早めに終了して、残時間を全員でカラオケに熱中することも可能である。更にこの場合、プリンタ１１へのプリント出力の指示は、編集制限時間の残時間とプリントに要する時間とを考慮して発するようにし、利用者が編集室８２の外に出ると同時にプリントが終了するようにしても良い。
【０１４４】
ここで、画像印刷装置１が複数の編集室８２を備える場合、例えば制御部１２のＲＡＭ４３において、各利用者に振り分けるべき編集室８２を表す情報として振分番号を管理するようにする。振分番号は、例えば「１」から始まり、編集室８２の総数（図１５の例では「２」）で終わる連続番号であり、初期値（例えば本体電源投入後の初期化処理で設定される値）は「１」とする。各振分番号と各編集室８２は１対１に対応しており、例えば振分番号「１」は第１編集室８２ａに、振分番号「２」は第２編集室８２ｂに対応している。また、各編集室８２では例えば図１０に示した編集プロセスをそれぞれ独立に行なうものとし、各編集プロセスは並列に処理できるものとする。尚、第１編集室８２ａにおける編集プロセスを第１編集プロセスと呼び、第２編集室８２ｂにおける編集プロセスを第２編集プロセスと呼ぶ。そして、撮影プロセスでは例えば図１６に示すように、撮影処理（Ｓ２−４）および楽曲再生処理（Ｓ２−５）の双方が終了した後に、振分番号を確認する処理（Ｓ２−Ｃ）と、振分番号に応じた編集室８２への移動を指示する処理（Ｓ２−９−Ａ，Ｓ２−９−Ｂ）と、振分番号に応じた編集室８２の編集プロセスに利用者個別記録領域の一時記憶装置４５内のアドレスを通知する処理（Ｓ２−１０−Ａ，Ｓ２−１０−Ｂ）と、振分番号を次番号に変更する処理（Ｓ２−Ｄ，Ｓ２−Ｅ）とを行なうようにする。尚、振分番号の次番号とは原則として現在の振分番号に１を加えた番号であるが、現在の振分番号が最終番（図１５の例では「２」）である場合には１に戻るようにする。以上の処理により、撮影プロセスを終えた利用者を、第１編集室８２ａまたは第２編集室８２ｂに交互に振り分けることができる。また、編集室８２を３つ以上備える場合でも、各編集室８２に利用者を順繰りに振り分けることができる。
【０１４５】
さらに、第１の実施形態では、受付部２を一つ有する構成としたが、本発明の第４の実施形態として、受付部２を複数有する構成としても良い。例えば、図１７に示す例では、３つの受付部２を設けている。各受付部２は、それぞれ受付装置６を備えている。各受付部２では受付プロセスをそれぞれ独立に行なうものとし、各受付プロセスは並列に処理できるものとする。従って、複数組の利用者を異なる受付部２で同時に受け付けることが可能となる。この場合でも、各組の利用者個別記録領域は分離独立して設けられ、各組の利用者に対する個別プレイ情報は、分離独立的に管理される。ここで、複数の受付部２に対して撮影部３が一つであり、各受付部２に夫々利用者がいる場合に、どの受付部２の利用者を撮影部３へと案内するかについては、例えば以下の３つの方法が挙げられる。
【０１４６】
例えば、第１の方法として、上述した第２実施形態の構成（即ち、受付制限時間前でも撮影部３に先行の利用者が存在しない場合は撮影部３への移動を案内する構成）を採用し、ある受付部２での受付プロセスが先に終了することによって、撮影室８１が空くまで待たされる事となる他の受付部２における受付プロセスの制限時間を、延長するようにする。例えば、ある受付部２における受付プロセスが終了すると同時に、他の受付部２における受付プロセスの受付用タイマの時間をリセットするようにする。この場合、延長された受付プロセスの制限時間を選曲や楽曲編集に充てることができる。
【０１４７】
また、第２の方法として、上述した第２実施形態の構成を採用し、尚且つ受付プロセスに制限時間を設けないものとして（図５のＳ１−４，Ｓ１−５，Ｓ１−６、図１３のＳ１−３−９を省略して）、プレイ条件設定処理におけるＳ１−３−８までの処理を最も早く済ませた利用者から順に撮影室８１に案内するようにする。この場合、利用者は制限時間に縛られることなく選曲や楽曲編集を行なえる。また、第３の方法として、最も早く受付を開始（Ｓ１−２；Ｙｅｓ）した利用者から順に撮影室８１への移動を案内するようにする。
【０１４８】
第１および第２の方法の場合、撮影室８１が空く時間若しくはタイミングと、各利用者の希望（例えば、デモ再生を聴いて確認しながらゆっくりと選曲したい、或いは楽曲の編集に充分な時間をかけたい等）とを考慮して、利用者を撮影室８１へと案内する事が可能となる利点がある。特に、画像印刷装置１が楽曲編集機能を備える場合、４分という受付制限時間は不充分である場合も考えられるが、第１または第２の方法を採用することで、解消できる。制限時間を設ける第１の方法は、利用者が受付部２を長時間独占してしまうことを防止できる点で好ましい。
【０１４９】
さらに、第１の実施形態では、第１楽曲演奏装置８および第２楽曲演奏装置１０はそれぞれ楽曲記録装置２２，３２に記録された楽曲を再生するものとしたが、本発明の第５の実施形態として、第１楽曲演奏装置８および第２楽曲演奏装置１０はそれぞれ、利用者が所持する携帯型記録手段８３に記録されている楽曲を音声として出力するようにしても良い。
【０１５０】
ここで、携帯型記録手段８３として、携帯可能な情報記録媒体、例えばコンパクトフラッシュ（登録商標）等のカード型記録媒体やＤＶＤなどを利用できる。この場合、例えば図２５に示すように、受付装置６は、複数の楽曲及びこれらに夫々対応した歌詞データと映像データがデジタルデータとして記録された記録装置８４と、携帯型記録手段８３に接続するためのインターフェース８５を備えるものとし、利用者が選択または編集した楽曲および当該楽曲に対応する歌詞データと映像データを携帯型記録手段８３に記録するようにする。また、第１楽曲演奏装置８および第２楽曲演奏装置１０は、例えば携帯型記録手段８３に接続するためのインターフェース８６，８７を備えるものとし、再生装置２３，３３は、携帯型記録手段８３に記録された楽曲を再生する。尚、インターフェース８５，８６，８７は、携帯型記録手段８３の端子部分が差し込まれるコネクタや、携帯型記録手段８３と無線通信を行なうためのアンテナ或いは赤外線インターフェースなどである。
【０１５１】
各組の利用者は、携帯型記録手段８３を持って撮影室８１に移動し、撮影室８１にて携帯型記録手段８３に記録された楽曲再生を楽しみ、その後、移動の指示があった場合は携帯型記録手段８３を持って編集室８２へと移動し、編集室８２にて携帯型記録手段８３に記録された楽曲再生を楽しむこととなる。尚、受付部２において携帯型記録手段８３を貸し出し、出力部５において携帯型記録手段８３を回収するようにしても良い。更にこの場合、受付部２においては課金が行なわれるまで携帯型記録手段８３が例えば収容ケース４７から取り外せないようにロックしたり、出力部５においては携帯型記録手段８３を収容ケース４７にセットしないと出力装置１１から出力されるシールが取り出せないようにしても良い。
【０１５２】
ここで、上記の記録装置８４とインターフェース８５とは、楽曲情報が蓄積されると共に所望の楽曲情報を携帯型記録手段８３に記録可能な楽曲サーバ（共通受付装置とも呼ぶ。）として、受付装置６から切り離し、例えばオープンスペースなどに設置して複数の画像印刷装置１で共用しても良い。更にこの共通受付装置は、選曲機能の他に楽曲編集機能を備えるものとしても良い。そして、利用者が共通受付装置において時間制限を受けることなく選曲や楽曲編集を行なうことができるようにしても良い。この場合、受付プロセス以前に選曲や楽曲編集を済ませることができ、受付プロセスに要する時間を短縮化できる。
【０１５３】
さらに、携帯型記録手段８３として、利用者が所有する携帯電話を利用しても良い。この場合、利用者は自分の携帯電話に例えばインターネットなどを介してお気に入りの曲を事前にダウンロードしておけば、受付部２においては選曲を行なわずに、撮影室８１および編集室８２において当該お気に入りの曲、例えば「私の１８番」などの再生を楽しむことができる。また、受付に要する時間を短縮化できる。
【０１５４】
以上の構成によれば、利用者が選択した楽曲情報は携帯型記録手段８３に記録され、携帯型記録手段８３は利用者と共に移動するので、制御部１２は各利用者の組ごとに楽曲情報の管理や第１楽曲演奏装置８および第２楽曲演奏装置１０に対する楽曲情報の転送処理などを行なう必要はなく、画像印刷装置１における処理を簡素化でき、画像印刷装置１を安価に構成できる効果が得られる。
【０１５５】
さらに携帯型記録手段として、例えば図２６に示すように、楽曲が記録される情報記録媒体８８と、当該情報記録媒体８８に記録された楽曲を再生する再生部８９と、楽曲の再生開始や再生する楽曲の選択等を行なう操作部９０と、マイクロホン９１と、出力部９２とが一体化された携帯型カラオケ装置８３を利用しても良い。この携帯型カラオケ装置８３は、出力部９２の映像用端子と音声用端子を既存のテレビジョン受像機に接続して、操作部９０により再生操作を行なうと、情報記録媒体８８に記録された楽曲およびマイクロホン９１から入力される音声がテレビジョン受像機のスピーカから出力されると共に、当該楽曲に対応する映像がテレビジョン受像機に表示される装置である。このような携帯型カラオケ装置として既存の物を利用しても良い。この場合、第１楽曲演奏装置８および第２楽曲演奏装置１０として、既存のテレビジョン受像機を利用でき、画像印刷装置１をさらに安価に構成できる効果が得られる。尚、情報記録媒体８８に記録されてる楽曲情報をテレビジョン受像機に表示し、利用者が再生の順番を決定できるようにしても良い。この場合、同じ曲を複数回再生したり、多数の楽曲を予め選曲して情報記録媒体８８に記録しておけば、気分の変化で再生曲を変更できる利点がある。
【０１５６】
さらに、本発明の第６の実施形態として、撮影プロセスの開始時点と後続の利用者についての受付プロセスの開始時点との間に時間差がある場合に、当該時間差に基いて当該撮影プロセスにおける制限時間を延長できるようにしても良い。また、編集プロセスの開始時点と後続の利用者についての撮影プロセスの開始時点との間に時間差がある場合に、当該時間差に基いて当該編集プロセスにおける制限時間を延長できるようにしても良い。さらに、撮影プロセスにおいて制限時間が延長されている間、編集プロセスにおける制限時間を延長できるようにしても良い。さらに制限時間の延長は、楽曲再生時間だけを延長するものとし、撮影時間や編集時間は延長せず当初の制限時間通りとしても良い。撮影や編集を通常通り終了させ、楽曲再生時間だけを延長することで、利用者全員で一緒にカラオケを楽しむことができる。尚、ある利用者についての受付プロセスの終了時点と撮影プロセスの開始時点とは実質殆んど差が無く、同様に、ある利用者についての撮影プロセスの終了時点と編集プロセスの開始時点とは実質殆んど差が無いので、上記のうち「撮影プロセスの開始時点」は「受付プロセスの終了時点」であっても良く、「編集プロセスの開始時点」は「撮影プロセスの終了時点」であっても良いのは勿論である。
【０１５７】
第６の実施形態における受付プロセス、撮影プロセス、編集プロセスの処理の一例を図２７〜図２９に示す。尚、これらの図中において、受付開始フラグは受付部２における利用者の有無を表し、撮影中フラグは撮影室８１における利用者の有無を表し、延長フラグは撮影室８１にいる利用者について楽曲時間の延長が行なわれているか否かを表している。これらの各フラグは、例えば制御部１２のＲＡＭ４３において管理するようにする。
【０１５８】
受付プロセスでは、例えば図２７に示すように、スタート指令が出されると（Ｓ１−２；Ｙｅｓ）、受付開始フラグに１をセットする（Ｓ１−Ａ）。次に、撮影中フラグの値を確認する（Ｓ１−Ｂ）。撮影中フラグの値が１であれば（Ｓ１−Ｂ；Ｎｏ）、撮影室８１に先行の利用者がいるため通常の処理を行なう（Ｓ１−３，Ｓ１−４）。撮影中フラグの値が０であれば（Ｓ１−Ｂ；Ｙｅｓ）、撮影室８１に先行の利用者はおらず、時短処理を行なうか確認する（Ｓ１−Ｃ）。ここで、時短処理（Ｓ１−Ｄ）とは、例えば撮影方法等のプレイ条件の設定を予め定めた内容すなわちデフォルト設定とする処理であり、例えば利用者が既に楽曲情報が記録された携帯型記録手段８３を所持している場合には、当該利用者はすぐに撮影室８１へと移動できる（Ｓ１−７）。但し、時短処理において選曲を行なえるようにしても良い。例えば、Ｓ１−Ｃの処理では「撮影室に直ぐ移れますが、おまかせ撮影にしますか」とのメッセージを受付用モニタ１７に表示し、Ｓ１−Ｄの処理では「カラオケ情報の記憶されたメモリカードをお持ちの方は撮影室に移動してください、お持ちでない方は選曲して下さい」とのメッセージを受付用モニタ１７に表示するようにする。時短処理は、時間に余裕の無い利用者や、楽曲再生時間の延長を期待して空いている時間帯を狙って遊びに来ている利用者などに有効である。尚、時短処理を行なわない場合は（Ｓ１−Ｃ；Ｎｏ）、通常の処理を行なう（Ｓ１−３，Ｓ１−４）。受付プロセスを終了する際には、受付開始フラグに０をセットする（Ｓ１−Ｅ）。
【０１５９】
また、撮影プロセスでは、例えば図２８に示すように、受付プロセスからの通知を検出すると（Ｓ２−２；Ｙｅｓ）、撮影中フラグに１をセットして（Ｓ２−Ａ）、以後の処理を続行する。そして、撮影用タイマの時間がリミットに達すると（Ｓ２−７；Ｙｅｓ）、撮影処理に割り込みをかけ（Ｓ２−Ｆ）、撮影処理を終了させる一方、楽曲再生時間を延長するか利用者に確認する（Ｓ２−Ｇ）。利用者が延長を希望する場合は（Ｓ２−Ｇ；Ｙｅｓ）、延長フラグに１をセットし（Ｓ２−Ｈ）、受付開始フラグが０であるか、即ち受付部２に後続の利用者が存在するか否かを確認する（Ｓ２−Ｉ）。受付開始フラグが０である間は、処理を続行しない（Ｓ２−Ｉ；Ｙｅｓ）。従って、楽曲再生処理は終了しない。受付開始フラグが０でない又は０でなくなると、即ち後続の利用者が受付プロセスを開始していた又は開始すると（Ｓ２−Ｉ；Ｎｏ）、デフォルト延長時間を開始する（Ｓ２−Ｊ）。例えば、現在撮影室８１にいる利用者が受付プロセスを終了した時点（図２７のＳ１−Ｅ）から、後続組の利用者が受付プロセスを開始した時点（Ｓ１−Ａ）までの時間、即ち受付部２が空いていた空き時間を、デフォルト延長時間とする。尚、上記デフォルト延長時間は、例えば撮影制限時間以下となるように上限を設定する。そして、デフォルト延長時間が経過するまで、処理を続行しない（Ｓ２−Ｋ；Ｎｏ）。従って、楽曲再生処理は終了しない。デフォルト延長時間が経過すると（Ｓ２−Ｋ；Ｙｅｓ）、延長フラグに０をセットし（Ｓ２−Ｌ）、楽曲再生処理に対して割り込みを発生し（Ｓ２−Ｍ）、楽曲再生処理を終了させる。尚、利用者が楽曲再生時間の延長を希望しない場合は（Ｓ２−Ｇ；Ｎｏ）、直ちに楽曲再生処理に対して割り込みを発生し（Ｓ２−Ｍ）、楽曲再生処理を終了させる。また、撮影プロセスを終了する際には、撮影中フラグに０をセットする（Ｓ２−Ｂ）。
【０１６０】
上記の処理によって、ある１組目の利用者について受付プロセスを終了した時刻（換言すれば、当該１組目の利用者について撮影プロセスを開始した時刻）と、次の２組目の利用者について受付プロセスを開始した時刻との間の時間差がある場合に、当該時間差に基づいて、上記１組目の利用者に対して撮影室８１における楽曲再生時間の延長を行なうことができる。例えば１組目の利用者について撮影用タイマの時間がリミットに達した後に、２組目の利用者が受付プロセスを開始した場合は、１組目の利用者について撮影用タイマの時間がリミットに達してから２組目の利用者が受付プロセスを開始するまでの時間と、デフォルト延長時間の最長時間として撮影制限時間分とが、１組目の利用者に対して撮影室８１における楽曲再生時間の延長時間として与えられる。また、１組目の利用者について撮影用タイマの時間がリミットに達する前に、２組目の利用者が受付プロセスを開始した場合は、１組目の利用者の受付プロセス終了時刻から２組目の利用者の受付プロセス開始時刻までの時間が、１組目の利用者に対して撮影室８１における楽曲再生時間の延長時間として与えられる。上記の処理の場合、２組目の利用者が受付プロセスを開始してから撮影室８１に移動するまでの時間は、１組の利用者の直ぐ後に並んでいた場合と同じとなる。従って、２組目の利用者はプレイを始められる迄の時間が予測でき、ストレスを感じることなく待つことができる。
【０１６１】
また、編集プロセスでは、例えば図２９に示すように、編集用タイマの時間がリミットに達すると（Ｓ３−７；Ｙｅｓ）、編集処理に割り込みをかけ（Ｓ３−Ａ）、編集処理を終了させる一方、楽曲再生時間を延長するか利用者に確認する（Ｓ３−Ｂ）。利用者が延長を希望する場合は（Ｓ３−Ｂ；Ｙｅｓ）、撮影中フラグが０であるか、即ち撮影室８１に後続の利用者が存在するか否かを確認する（Ｓ３−Ｃ）。撮影中フラグが０である間は、処理を続行しない（Ｓ３−Ｃ；Ｙｅｓ）。従って、楽曲再生処理は終了しない。撮影中フラグが０でない又は０でなくなると、即ち後続の利用者が撮影プロセスを開始していた又は開始すると（Ｓ３−Ｃ；Ｎｏ）、デフォルト延長時間を開始する（Ｓ３−Ｄ）。例えば、現在編集室８２にいる利用者が撮影プロセスを終了した時点（図２８のＳ２−Ｂ）から、後続組の利用者が撮影プロセスを開始した時点（Ｓ２−Ａ）までの時間、即ち撮影室８１が空いていた空き時間を、デフォルト延長時間とする。尚、上記デフォルト延長時間は、例えば撮影制限時間以下となるように上限を設定する。そして、デフォルト延長時間が経過するまで、処理を続行しない（Ｓ３−Ｅ；Ｎｏ）。従って、楽曲再生処理は終了しない。デフォルト延長時間が経過すると（Ｓ３−Ｅ；Ｙｅｓ）、延長フラグが１であるか、即ち撮影室８１にいる後続の利用者について楽曲再生時間の延長が行なわれているかを確認する（Ｓ３−Ｆ）。延長フラグが１である間は、処理を続行しない（Ｓ３−Ｆ；Ｙｅｓ）。従って、楽曲再生処理は終了しない。延長フラグが１でない又は１でなくなると（Ｓ３−Ｆ；Ｎｏ）、楽曲再生処理に対して割り込みを発生し（Ｓ３−Ｇ）、楽曲再生処理を終了させる。尚、利用者が楽曲再生時間の延長を希望しない場合は（Ｓ３−Ｂ；Ｎｏ）、直ちに楽曲再生処理に対して割り込みを発生し（Ｓ３−Ｇ）、楽曲再生処理を終了させる。
【０１６２】
上記の処理によって、ある１組目の利用者について撮影プロセスを終了した時刻（換言すれば、当該１組目の利用者について編集プロセスを開始した時刻）と、次の２組目の利用者について撮影プロセスを開始した時刻との間の時間差がある場合に、当該時間差に基づいて、上記１組目の利用者に対して編集室８２における楽曲再生時間の延長を行なうことができる。例えば１組目の利用者について編集用タイマの時間がリミットに達した後に、２組目の利用者が撮影プロセスを開始した場合は、１組目の利用者について編集用タイマの時間がリミットに達してから２組目の利用者が撮影プロセスを開始するまでの時間と、デフォルト延長時間の最長時間として撮影制限時間分とが、１組目の利用者に対して編集室８２における楽曲再生時間の延長時間として与えられる。また、１組目の利用者について編集用タイマの時間がリミットに達する前に、２組目の利用者が撮影プロセスを開始した場合は、１組目の利用者の撮影プロセス終了時刻から２組目の利用者の撮影プロセス開始時刻までの時間が、１組目の利用者に対して編集室８２における楽曲再生時間の延長時間として与えられる。さらに、２組目の利用者が撮影室４において楽曲再生時間の延長を行なった場合は、当該延長時間分が１組目の利用者に対して編集室８２における楽曲再生時間の延長時間として与えられる。上記の処理の場合、撮影プロセスと編集プロセスとをほぼ同時に終了させることができ、編集室８２にいる利用者が出力部５へ移動すると同時に、撮影室８１にいる利用者が編集室８２に移動するように構成できる。
【０１６３】
以上に説明した第６の実施形態によれば、１組目の利用者が撮影室８１に移動した後、２組目の利用者が現れない場合、当該１組目の利用者は時間延長してしばらく撮影室８１でカラオケを楽しむことができる。さらに、２組目の利用者が現れて当該２組目の利用者が撮影室８１に移動し、１組目の利用者が編集室８２に移動した後、３組目の利用者が現れない場合、当該２組目の利用者は時間延長してしばらく撮影室８１でカラオケを楽しむことができ、さらに当該２組目の利用者が時間延長を行なっている間、１組目の利用者も編集室８２で時間延長してカラオケを楽しむことができる。このため、比較的すいてる時間帯に画像印刷装置１を利用すれば、利用者はカラオケを楽しむ時間を延長できる確率が高くなり、利用者へのサービス向上並びに運用者にとっては機械稼働率の向上を実現できる。
【０１６４】
ここで、楽曲再生時間が延長される可能性を考慮して、受付部２において予備用の楽曲を選択できるようにしても良い。また、第１楽曲演奏装置８や第２楽曲演奏装置１０にも選曲機能、例えば選曲用の操作部や一般にコマンダーと呼ばれる選曲用のリモートコントローラなど、を付加するようにしても良い。この場合、利用者は撮影室８１および編集室８２において時間延長を行なった場合に再生する楽曲を追加でき、さらに受付部２において選択した楽曲を変更することもできる。
【０１６５】
さらに編集室８２を複数有し、利用者を複数の編集室８２のうち空いている所に振り分けるようにしても良い。この場合、ある編集室８２の利用者が他の編集室８２にいる利用者よりも早く編集プロセスを終了したような場合、当該空いた編集室８２に後続の利用者が移動するため、撮影室８１からの利用者の移動に余裕が生じ易くなり、編集室８２にいる利用者が時間延長できる可能性が高まる。尚、空いている編集室８２に利用者を振り分ける処理としては、例えば各編集室８２における利用者の有無を表す編集中フラグを編集室８２の数だけ制御部１２のＲＡＭ４３において管理し、各編集室８２における編集プロセスにおいては処理開始後に編集中フラグを１とすると共に処理終了の際に編集中フラグを０とする処理を行い、撮影プロセスにおいては編集中フラグが０である編集室８２に利用者を移動させる指示を出す処理を行なうようにする。
【０１６６】
尚、上記の例では、撮影時間や編集時間は延長せずに楽曲再生時間だけを延長するようにしたが、当該延長に合わせて撮影時間や編集時間も延長するようにしても良い。この場合は、例えば図３０に示すように撮影プロセスでは、撮影処理のみへの割り込み発生（図２８のＳ２−Ｆ）を行なわず、楽曲再生処理への割り込み発生時に撮影処理に対しても割り込みを発生するようにする（Ｓ２−Ｍ’）。また、例えば図３１に示すように編集プロセスでは、編集処理のみへの割り込み発生（図２９のＳ３−Ａ）を行なわず、楽曲再生処理への割り込み発生時に編集処理に対しても割り込みを発生するようにする（Ｓ３−Ｇ’）。
【０１６７】
さらに、本発明の第７の実施形態として、後続の利用者について受付プロセスが行なわれている又は行なわれた場合に、現在行なわれている撮影プロセスの撮影制限時間を短縮するようにしても良い。また、後続の利用者について撮影プロセスが行なわれており、更に後続の利用者について受付プロセスが行なわれている又は行なわれた場合に、現在行なわれている編集プロセスの編集制限時間を短縮するようにしても良い。この場合、画像印刷装置１を利用する利用者の組の数が増加すると、即ち画像印刷装置１が混んでくると、撮影制限時間および編集制限時間が短縮されるようになる。これにより、利用者の回転率が向上し、売上向上の効果が得られる。第７の実施形態における撮影プロセス、編集プロセスの処理の一例を図３２〜図３４に示す。尚、受付プロセスでは例えば既述した図２７に示す処理が行なわれるとする。
【０１６８】
図３２に示す撮影プロセスでは、撮影用タイマの時間がリミットに達しているか否かの判断の処理（図２８のＳ２−７）に換えて、撮影時間カウント処理（Ｓ２−７’）を行なう。尚、図３２に示す撮影プロセスの他の処理は、例えば図２８と同じとする。撮影時間カウント処理を詳細化したフローチャートの一例を図３４に示す。撮影時間カウント処理では、先ず受付開始フラグが０であるか、即ち受付部２に後続の利用者が存在するか否かを確認する（Ｓ２−７−１）。受付開始フラグが０である間は（Ｓ２−７−１；Ｙｅｓ）、ＣＰＵ４１は撮影用タイマの時間が、撮影制限時間から余裕時間を差し引いた時間を超過しないように、即ち当初設定された通りの制限時間を超えないように監視する（Ｓ２−７−２）。受付開始フラグが０でない又は０でなくなると、即ち後続の利用者が受付プロセスを開始していた又は開始すると（Ｓ２−７−１；Ｎｏ）、ＣＰＵ４１は撮影用タイマ時間の監視を、撮影制限時間から予め設定した短縮時間および余裕時間を差し引いた時間を超過しないものとするように、切り替える（Ｓ２−７−３）。即ち、後続の利用者が受付プロセスを開始していた又は開始することを条件として、撮影用タイマ時間のリミットが、予め設定した短縮時間分だけ短縮されることとなる。撮影用タイマの時間がリミットに達すると（Ｓ２−７−２；ＹｅｓまたはＳ２−７−３；Ｙｅｓ）、撮影時間カウント処理は終了し、図３２における撮影時間カウント処理（Ｓ２−７’）以後の処理が続行される。
【０１６９】
また、図３３に示す編集プロセスでは、編集用タイマの時間がリミットに達しているか否かの判断の処理（図２９のＳ３−７）に換えて、編集時間カウント処理（Ｓ３−７’）を行なう。尚、図３３に示す編集プロセスの他の処理は、例えば図２９と同じとする。編集時間カウント処理を詳細化したフローチャートの一例を図３５に示す。編集時間カウント処理では、先ず撮影中フラグが１であり尚且つ先ず受付開始フラグが１であるか、即ち撮影部３に後続の利用者が存在し尚且つ受付部２に更に後続の利用者が存在するか、換言すれば後続の利用者について行なわれる撮影プロセスで撮影制限時間の短縮が行なわれたか、確認する（Ｓ３−７−１）。撮影中フラグと受付開始フラグの双方が１とならない間は（Ｓ３−７−１；Ｎｏ）、ＣＰＵ４１は編集用タイマの時間が、編集制限時間から余裕時間を差し引いた時間を超過しないように、即ち当初設定された通りの制限時間を超えないように監視する（Ｓ３−７−２）。撮影中フラグと受付開始フラグの双方が１となると、即ち後続の利用者について行なわれる撮影プロセスで撮影制限時間の短縮が行なわれると（Ｓ３−７−１；Ｙｅｓ）、ＣＰＵ４１は編集用タイマ時間の監視を、編集制限時間から予め設定した短縮時間および余裕時間を差し引いた時間を超過しないものとするように、切り替える（Ｓ３−７−３）。即ち、撮影プロセスで撮影制限時間の短縮が行なわれることを条件として、編集用タイマ時間のリミットが、予め設定した短縮時間分だけ短縮されることとなる。編集用タイマの時間がリミットに達すると（Ｓ３−７−２；ＹｅｓまたはＳ３−７−３；Ｙｅｓ）、編集時間カウント処理は終了し、図３３における編集時間カウント処理（Ｓ３−７’）以後の処理が続行される。
【０１７０】
以上に説明した第７の実施形態によれば、後続の利用者について受付プロセスが行なわれている場合に、現在行なわれている撮影プロセスの撮影制限時間が短縮されるので、当該撮影プロセスが通常時間より早く終了し、撮影部３にいる利用者は通常時より早く編集部４に移動する。従って、例えば第２実施形態のように、受付部２において撮影部３に先行の利用者が存在しない場合に撮影部３への移動を案内するようにすれば、現在受付プロセスを行なっている後続の利用者について通常より早めに撮影プロセスを開始できるようになる。尚、撮影プロセスの撮影制限時間の短縮が行なわれると同時に、受付プロセスの受付制限時間も撮影制限時間の短縮時間と同時間分だけ短縮するようにして、受付プロセスを行なっている後続の利用者について通常より早めに撮影プロセスを開始できるようにしても良い。
【０１７１】
さらに、後続の利用者について撮影プロセスが行なわれており更に後続の利用者について受付プロセスが行なわれている場合に、現在行なわれている編集プロセスの編集制限時間が短縮されるので、編集プロセスが通常時間より早く終了し、編集部４にいる利用者は通常時より早く出力部５に移動する。従って、撮影部３にいる後続の利用者は通常時より早く編集部４に移動でき、受付部２にいる後続の利用者は通常時より早く撮影部３に移動できる。即ち、画像印刷装置１の混み具合に対応して撮影制限時間および編集制限時間が短縮され、利用者の回転率が向上する。例えば、撮影制限時間および編集制限時間を４分に設定し、短縮時間を１分に設定する場合、画像印刷装置１が混んでくると、撮影部３での制限時間および編集部４での制限時間が約４分から約３分に切り替る。同制限時間が４分の場合は１時間あたり１５組の利用者が画像印刷装置１を利用できるが、同制限時間が３分となれば１時間あたり２０組の利用者が画像印刷装置１を利用できるようになり、利用者の回転率が向上する。これにより、売上向上の効果が得られる。
【０１７２】
さらに図３２及び図３３に示した処理によれば、既述した第６実施形態と同様に、撮影プロセスの開始時点と後続の利用者についての受付プロセスの開始時点との間に時間差がある場合に、当該時間差に基いて当該撮影プロセスにおける制限時間を延長することもでき（Ｓ２−Ｆ〜Ｓ２−Ｍ）、また、編集プロセスの開始時点と後続の利用者についての撮影プロセスの開始時点との間に時間差がある場合に、当該時間差に基いて当該編集プロセスにおける制限時間を延長することもできる（Ｓ３−Ａ〜Ｓ３−Ｂ）。尚、この場合、先に説明したように、撮影時間や編集時間は延長せずに楽曲再生時間だけを延長するようにしても良く、当該楽曲再生時間の延長に合わせて撮影時間や編集時間も延長するようにしても良い。
【０１７３】
但し、図３６及び図３７に示すように、撮影プロセスおよび編集プロセスにおける制限時間の短縮のみ可能とし、撮影プロセスおよび編集プロセスにおける制限時間の延長は行なわないようにしても良い。このように撮影プロセスおよび編集プロセスの制限時間について、延長を行なわず短縮のみ可能とする場合、撮影制限時間および編集制限時間を長め、例えば１０分程度に設定することが望ましい。この場合、例えば短縮時間を６分ないし７分に設定すると、比較的すいている時間帯に画像印刷装置１を利用すれば、利用者は撮影室８１と編集室８２でそれぞれ約１０分と、比較的長い時間カラオケを楽しむことができる。一方、画像印刷装置１を利用する利用者が増加してくると、撮影部３での制限時間および編集部４での制限時間が約３分ないし４分に切り替わり、利用者の回転率を向上させることができる。
【０１７４】
さらに本発明の第７の実施形態において、第４実施形態のように受付部２を複数有する構成とした場合には、複数の受付部２において受付プロセスを行なっている利用者の組の数が増加するのに応じて、撮影プロセスおよび編集プロセスの制限時間に対する短縮時間を増加するようにしても良い。この場合の撮影時間カウント処理の一例を図３８に示し、編集時間カウント処理の一例を図３９に示す。各カウント処理では、撮影用タイマまたは編集用タイマの時間が短縮された制限時間を超過しないように監視する際に（Ｓ２−７−３，Ｓ３−７−３）、短縮時間を計算する処理（Ｓ２−７−Ａ，Ｓ３−７−Ａ）と、計算された短縮時間が予め設定された最大短縮時間を超えていないか確認する処理（Ｓ２−７−Ｂ，Ｓ３−７−Ｂ）と、短縮時間が最大短縮時間を超える場合には（Ｓ２−７−Ｂ；Ｙｅｓ，Ｓ３−７−Ｂ；Ｙｅｓ）、短縮時間に最大短縮時間を設定する処理（Ｓ２−７−Ｃ，Ｓ３−７−Ｃ）とを行なうようにする。短縮時間の計算処理（Ｓ２−７−Ａ，Ｓ３−７−Ａ）では、「受付フラグ＝１」となっているフラグの数、即ち受付プロセスを行なっている利用者の組の数に、予め設定された短縮基準時間を乗じた時間を、短縮時間とする。短縮基準時間は例えば１分とする。また、最大短縮時間は、例えば撮影制限時間または編集制限時間から最大短縮時間を減算した時間が２分となるように設定する。例えば撮影制限時間および編集制限時間を１０分に設定する場合には、最大短縮時間を８分に設定する。受付プロセスを行なっている利用者の組の数が増加するのに従って、撮影プロセスおよび編集プロセスにおける短縮時間が増加して、各利用者に割り当てられる撮影プロセスおよび編集プロセスの時間が短くなり、利用者の回転率が向上する。一方で、当該短縮時間は、利用者の組の数がどんなに増加しても最大短縮時間を超えることはなく、撮影プロセスまたは編集プロセスにおいて最低限必要なプレイ時間は確保することができる。
【０１７５】
さらに本発明の第７の実施形態において、撮影部３の状況にかかわらず、１つの受付装置６が複数組の利用者に対して順番に受付プロセスを実行するようにし、受付プロセスが行なわれたが撮影プロセスがまだ行なわれていない利用者の組の数が増加するのに応じて、撮影プロセスおよび編集プロセスの制限時間に対する短縮時間を増加するようにしても良い。この場合の受付プロセスの処理の一例を図４０及び図４１に示し、撮影時間カウント処理の一例を図４３に示し、編集時間カウント処理の一例を図４４に示す。
【０１７６】
この場合の受付プロセスでは図４０に示すように、利用者に対する撮影室８１への移動の指示（図５のＳ１−７）と、撮影プロセスへの利用者個別記録領域のアドレス通知（図５のＳ１−８）とは行なわれず、これらに対応する処理は、受付装置６から独立した撮影部移動案内手段により実行されるようにする。また、この場合の受付プロセスで行なわれるプレイ条件設定処理（Ｓ１−３）では、図４１に示すように、再生モードや撮影方法の受け付け（Ｓ１−３−６，Ｓ１−３−７）の後、整理番号を発行し（Ｓ１−３−Ｂ）、利用者により選択された個別プレイ情報を、当該発行した整理番号と関連付けて、利用者個別記録領域に記録するようにしている（Ｓ１−３−Ｃ）。さらに、当該発行した整理番号を、受付キューに登録するようにしている（Ｓ１−３−Ｄ）。受付キューは、例えば一時記憶装置４５に設けられた先入れ先出し方式のデータ格納領域いわゆる待ち行列である。そして、受付装置６は例えば案内があるまで利用者に受付装置６から離れた待機位置で待機するように指示する（Ｓ１−３−Ｅ）。当該指示は、例えば受付用モニタ１７でのメッセージ表示やスピーカ２０からのアナウンスの一方又は双方を利用して実現できる。尚、受付用タイマにより割り込みが発生した場合には（Ｓ１−６）、例えば途中であってもプレイ条件設定処理（Ｓ１−３）を終了するようにし、この場合には先に説明した例外処理を行なうようにする。このように、撮影室８１に先行の利用者が存在するか否かにかかわらず、１つの受付装置６により複数組の利用者に対して順番に受付プロセスが行なわれていく。
【０１７７】
また、受付装置６から独立した撮影部移動案内手段は、例えばモニタまたはスピーカの一方又は双方と、制御部１２とにより実現され、例えば画像印刷装置１の電源が投入されている間は図４２に示す処理を実行し続ける。先ず、整理番号が受付キューに登録されていない間は、受付開始フラグを０とする（Ｓ１０１，Ｓ１０２；Ｎｏ）。一方、整理番号が受付キューに登録された又は登録されている場合は、受付開始フラグを１とし（Ｓ１０３）、撮影中フラグが０であるか、即ち撮影室８１に先行の利用者が存在するか否かを確認する（Ｓ１０４）。撮影中フラグが１である間は、処理を続行しない（Ｓ１０４；Ｎｏ）。撮影中フラグが０である又は０になると、即ち撮影室８１に先行の利用者が存在しない又は撮影室８１にいた先行の利用者が編集室８２に移動すると（Ｓ１０４；Ｙｅｓ）、受付キューから先頭の整理番号を取り出す（Ｓ１０５）。これにより、当該先頭の整理番号は受付キューから削除され、先頭から２番目だった整理番号が先頭の整理番号となる。そして、取り出した整理番号に対応した利用者に対して、モニタによるメッセージ表示またはスピーカからのアナウンスの一方又は双方を利用して、撮影室８１へ移動するように案内する（Ｓ１０６）。また、取り出した整理番号と関連付けられた利用者個別記録領域の一時記憶装置４５内のアドレスを、撮影プロセスに通知する（Ｓ１０７）。その後、Ｓ１０２以降の処理を繰り返す。従って、撮影部移動案内手段により、撮影室８１が空くに従って、受付を済ませた利用者が撮影室８１へと順次案内される。
【０１７８】
また、撮影時間カウント処理および編集時間カウント処理では、撮影用タイマまたは編集用タイマの時間が短縮された制限時間を超過しないように監視する際に（Ｓ２−７−３，Ｓ３−７−３）、短縮時間を計算する処理（Ｓ２−７−Ａ’，Ｓ３−７−Ａ’）と、計算された短縮時間が予め設定された最大短縮時間を超えていないか確認する処理（Ｓ２−７−Ｂ，Ｓ３−７−Ｂ）と、短縮時間が最大短縮時間を超える場合に（Ｓ２−７−Ｂ；Ｙｅｓ，Ｓ３−７−Ｂ；Ｙｅｓ）、短縮時間に最大短縮時間を設定する処理（Ｓ２−７−Ｃ，Ｓ３−７−Ｃ）とが行なわれる。短縮時間の計算処理（Ｓ２−７−Ａ’，Ｓ３−７−Ａ’）では、受付キューに登録されている整理番号の数、即ち受付プロセスが行なわれたが撮影プロセスがまだ行なわれていない利用者の組の数に、予め設定された短縮基準時間を乗じた時間が、短縮時間とされる。従って、受付プロセスが行なわれたが撮影プロセスがまだ行なわれていない利用者の組の数が増加するのに応じて、撮影プロセスおよび編集プロセスの制限時間に対する短縮時間を増加が増加して、各利用者に割り当てられる撮影プロセスおよび編集プロセスの時間が短くなり、利用者の回転率が向上する。一方で、当該短縮時間は、利用者の組の数がどんなに増加しても最大短縮時間を超えることはなく、撮影プロセスまたは編集プロセスにおいて最低限必要なプレイ時間は確保することができる。
【０１７９】
尚、上述した受付制限時間、撮影制限時間、編集制限時間、短縮時間、短縮基準時間などは、例えば制御部１２に当初に設定されている値を、画像印刷装置１の運用者やオペレータ等が制御部１２に対する操作によって適宜設定変更できるようにすることが望ましい。この場合、画像印刷装置１が設置された場所の事情等に応じて、受付制限時間、撮影制限時間、編集制限時間、短縮時間、短縮基準時間などを最適値に設定するようにできる。
【０１８０】
以上の画像印刷装置１及び方法によれば、１プレイを構成する受付、撮影、編集、出力のプロセスを分離独立し、また、各プロセスに応じて受付部２と撮影部３と編集部４と出力部５とを分離独立した構造として、プレイの進行に従って利用者が各部２，３，４，５を移動する又は移動しなければならない構造としたので、特定の利用者が画像印刷装置１を占有することを防止できる。例えば、ある利用者が連続プレイを意図として場所取りのために撮影部３や編集部４に居残ろうとしても、制限時間経過後には、自動的に次の利用者がこの撮影部３や編集部４に入って来るため、居残れない。さらに、この画像印刷装置１の楽しみの一つである楽曲再生の開始に間に合うように、各組の利用者が受付部２から撮影部３そして撮影部３から編集部４へと迅速に移動することが期待される。したがって、複数組の利用者が連続して画像印刷装置１を利用する場合においても、各プロセスを一組目の利用者が終える度に、二組目、三組目…と、後続の組の利用者が追随する形となり、各組の利用者に対する処理が滞ることがない。また、このようにスムーズに各プロセスが進むことから、利用者はプレイを始められる迄の比較的正確な又はおよその待ち時間が予測できるので、ストレスを感じることなく待つことができる。
【０１８１】
また、画像印刷装置１の運用者（運営者）に対しては、設定した時間（例えば４分）経過毎での利用者の回転が保証され、売上が確保される。さらに、従来発生していた時間的ロスおよび機械的ロス（機械がプレイ可能な状態で、しかもプレイを希望する利用者が存在するにもかかわらず、プレイが開始されない状況により生じる損失）を解消できる。また、撮影時間や編集時間に例えば４分と比較的長めの時間を設定しても、上述した時間的損失および機械的損失が無くなることで画像印刷装置１の稼働率が高くなる。従って、カラオケ機能の追加に加えて撮影時間や編集時間の長時間化という利用者への大幅なサービス向上と、画像印刷装置１の高水準の平均稼働率との両立が実現でき、売上向上が期待され、装置運用者の投資メリットは多大なものと成り得る。
【０１８２】
一方、利用者は、比較的長めに設定された撮影時間や編集時間の中で、撮影や落書編集と同時に楽曲再生やカラオケを楽しむことができる。例えば上述の第三の実施形態において、平均的な利用者の人数である３人でプレイをした場合（ノーマル選曲の場合）は、全員が１曲づつ歌うことができ、また１プレイの料金を例えば４００円に設定し、１人４００円づつ出して３回のプレイをして印刷画像シールを３枚得る遊び方をした場合は、１プレイ（受付で４分、撮影で４分、落書で８分、プリントアウトで約１分）で約１７分、つまり３プレイで合計約１時間の時間が過ごせると共に、カラオケ曲も合計９曲（１人３曲）歌うことができ、適当な時間を遊べ、利用者にとって４００円でプレイする価値が充分にあると言える。本発明によれば、画像印刷装置１の遊び性を飛躍的に高めることができ、利用者のリピート率のアップを期待でき、売上アップを期待できる。
【０１８３】
また、落書入力装置３９の数の制約から落書編集に参加できない者が発生したとしても、その者は落書編集を行なう友人等と同じ空間の中で楽曲再生やカラオケを楽しむことができる。例えば落書用モニタ３８とカラオケ用モニタ３６を一体化した場合などは面白い落書をして歌っている友人を笑わせる等、同じ空間の中で楽しみを共有できる。また、例えば受付部２において、編集室８２で再生する１曲目を２分でカットし、更に他の曲をもう１曲選び、その曲も２分の所でカットする様に設定すれば、落書編集とカラオケを途中で交代して楽しむ事もできる。このため、落書編集に参加できない者が暇を持て余すことが無く、従って不平等感を抱くこともなく、落書編集の時間を全員で共有して平等に楽しめる時間にできる。
【０１８４】
また、従来のカラオケ施設では、ある者が歌っている最中に他の者が自分の歌う曲を選択している場合が多く、全員で一緒に曲を楽しむ余裕が取れない場合が多いが、この画像印刷装置１では事前に選曲を済ませるため、基本的に歌の最中に選曲を行なうことは無く、全員で一緒に曲を楽しむことができる。このため、プレイ中に利用者は一体感を得られ、ユーザ満足度が高めることができる。特に、楽曲が演奏される中での撮影は、利用者全員の身体が曲のリズムに乗り易く、全員で一緒にポーズを決める楽しさが得られる。
【０１８５】
また、小中学生などの低年齢層でも遊べる画像印刷装置１の一連のプレイの中にカラオケの機能を盛り込んでいるので、従来のカラオケ施設の顧客とはなり得ない小中学生などの低年齢層にも、健全にカラオケ等の楽曲に触れる機会を提供することができる。
【０１８６】
さらに、画像印刷装置１の分野では、例えば約３ヶ月毎に新製品が発売されるなど、高価な装置が僅か数ヶ月で旧機種と認識され易いが、本発明によれば、新規楽曲（例えばカラオケの新曲）を随時加える事で、画像印刷装置１の陳腐化を防止できる。これにより、急激な売上ダウンが防げて売上の維持安定が計れ、装置運用者の投資効率の大幅な改善が可能となる。
【０１８７】
さらに、受付部２において利用者は、撮影室８１の空きを待つ間に撮影方法の選択のみならず楽曲の選択や楽曲の編集を行なえる。例えば、選曲または楽曲編集さらには選択または編集した楽曲のデモ再生を楽しみながら、待ち時間を有効に過ごすことができる。また、利用者は、楽しく面白く歌えるように楽曲を好みに合わせて編集でき、今までの画像印刷装置またはカラオケ施設にはない楽しみや面白みをオリジナル的に演出できる。
【０１８８】
なお、上述の実施形態は本発明の好適な実施の一例ではあるがこれに限定されるものではなく、本発明の要旨を逸脱しない範囲において種々変形実施可能である。例えば、上述の実施形態では、撮影部３または編集部４で再生する楽曲をカラオケ用演奏音楽としたが、この例に限定されず、歌謡曲、歌手等の歌、クラッシック音楽、その他の音楽全般であって良い。従って、本明細書でいう「音声」には、音楽に歌手やコーラス等の声が組み合わされたもの、歌手等の声が削除された音楽だけのもの（例えばカラオケ用演奏音楽）、クラッシック音楽のように最初から楽器演奏による音楽だけのもの、歌手やコーラス等の声だけのもの、が含まれる。この場合でも、利用者は、撮影部３および編集部４において、お気に入りの音楽や興味を持った音楽を聴きながら撮影または落書編集を楽しむことができ、上述の実施形態と同様の効果を得ることができる。
【０１８９】
また、利用者が選択した楽曲や編集した楽曲をヘッドホンを用いて再生するサービスや、当該選択曲や編集曲の携帯情報端末（例えば携帯電話やＰＤＡ（Personal Digital Assistants）等）へのダウンロードのサービスのみを、受付装置６において独立的に（例えば低料金で）行うようにしても良い。また、上述の実施形態で受付装置６が備えた選曲機能または楽曲編集機能、例えば図１８〜図２４に示した機能の一部又は全部を、既存のカラオケ装置に組み込んでも良い。
【０１９０】
また、上述の実施形態では、意思確認手段１６として課金装置である硬貨受付機を用いたが、コインレスの課金装置を用いても良い。例えば、携帯情報端末（携帯電話等）との無線通信（例えば赤外線や電波の送受信）によって課金処理を行なう課金装置を用いても良い。または、プリペイドカード用の情報読取及び書込装置を課金装置として用い、プリペイドカードを利用した料金徴収を行なうようにしても良い。さらに、携帯情報端末を利用して課金を行なう場合、予め用意したホームページ等で利用者が当該携帯情報端末を利用して撮影方法や楽曲の選択等を行えるようにし、且つ課金と同時に利用者が選択した情報が受付装置６に入力されるようにしても良い。この場合、受付プロセスを効率化でき、また受付制限時間を設けた場合は、当該時間を有効利用できる。また、受付部２とは別の箇所で料金を徴収する場合は、意思確認手段１６は課金装置に限らず例えばスタート用のボタン等であっても良い。
【０１９１】
また、出力装置１１は必ずしもプリンタには限られない。例えば、コンピュータ（携帯情報端末を含む）が読み取り可能な媒体であって編集画像データが記録された媒体を出力する装置であっても良い。或いは、ネットワーク若しくはケーブル接続を介して、利用者が所有する携帯情報端末に編集画像データを送信する装置であっても良い。従って、説明の便宜上、画像印刷装置１と呼ぶが、出力装置１１の出力形態は必ずしも印刷には限らない。また、出力部５を複数有するものとしても良い。例えば、タイプ（印刷方法等）の異なる出力装置１１を複数備えて、利用者が好みのタイプを選べる様にする事も可能であり、同種のタイプの出力装置１１を複数備え、一台が故障しても他方で補うようにする事も可能である。また、画像印刷装置１を複数セット設置する場合に、複数の画像印刷装置１と出力装置１１とをＬＡＮなどのネットワークで接続し、出力装置１１を複数の画像印刷装置１で共有して使用することも可能であり、この場合、コスト削減や信頼性や可用性向上の効果が得られる。例えば６セットの画像印刷装置１と、２台ないし３台の出力装置１１とをネットワークで接続し、順番にまたは任意に出力装置１１を稼動させる。１台の出力装置１１が故障しても他の出力装置１１で補えるため、営業が停止する事は回避できる。また、上述の実施形態では、出力部５を収容ケース４７内に設けたが、出力部５を受付部２や撮影室８１や編集室８２から独立した個室（出力室と呼ぶ）とし、この出力室内に出力装置１１を設けると共に楽曲演奏装置を設けても良い。この場合、出力（例えばプリントアウト）が終了する迄の時間を利用して、楽曲演奏装置によるカラオケ等を楽しむ事が可能となる。この場合、編集室８２での再生モードを選択できるようにした上述の実施形態のように、出力室での再生モードを選択できるようにしても良い。
【０１９２】
また、撮影部３も必ずしも１つに限らず、複数設けても良い。また、上述の実施形態では撮影室８１と編集室８２とが並設されているが、これに特に限られるものではなく、独立した構造物として離されて設置されることもある。この場合には、利用者は撮影室８１の外に一旦出てから、離れた場所にある編集室８２の中に入るようにして、１プレイを完結するようにしても良い。この場合には、画像印刷装置１を設置するスペースの形や大きさに応じてレイアウトを自由に変更したり、更には撮影室８１から編集室８２へと移動する間に店内や施設の他の店舗や展示品などを利用者の目に触れさせることができる。
【０１９３】
また、撮影室８１内に受付装置６を設けるようにしても良く、さらに編集室８２内に出力装置１１を設けるようにしても良い。この場合、収容ケース４７を無くすことができ、画像印刷装置１の設置スペースをコンパクトにできる利点がある。ここで、受付を短時間で終了して迅速に楽曲再生及び撮影を開始できるように、受付装置６の機能を簡素化、例えば楽曲編集機能などを省略するようにしても良い。尚、撮影室８１内に受付装置６を設ける場合、受付プロセスと撮影プロセスとは結合して１つの受付・撮影プロセスとなる。この受付・撮影プロセスでは、利用者に対するプレイを始めるか否かの決定およびプレイ条件の設定の受付けが行なわれた後、利用者に対する撮影が行なわれると共に利用者が事前に選択した楽曲の再生が行なわれる。また、編集室８２内に出力装置１１を設ける場合は、編集プロセスと出力プロセスとが結合して１つの編集・出力プロセスとなる。この編集・出力プロセスでは、撮影された撮影画像を利用者が編集し得ると共に利用者が事前に選択した楽曲の再生が行なわれ、その後、利用者が編集画像データの出力結果を受け取る。そして、独立しているプロセス、例えば受付・撮影プロセスと編集プロセスと出力プロセスの３つのプロセス、或いは受付・撮影プロセスと編集・出力プロセスの２つのプロセス、若しくは受付プロセスと撮影プロセスと編集・出力プロセスの３つのプロセス、について並列に処理可能とすることで、あるプロセスを終了した先行の組の利用者に続いて、後続の組の利用者は当該プロセスを開始できるようになる。さらに、各プロセスの制限時間を等しくすることで（当該等しい制限時間を基準制限時間と呼ぶ。）、複数組の利用者が各プロセスに間断なく連なる場合でも、各組の利用者が各プロセスを終了すると同時に、先行の組の利用者も該当プロセスを終了するため、各組の利用者は滞ることなく次のプロセスに進むことができる。さらに、編集室８２を複数設けることで、編集室８２にて行なわれるプロセスの制限時間を「基準制限時間×編集室の数」以下となる時間まで延長できる。
【０１９４】
また、例えば図４５に示すように、受付装置６は楽曲作成装置９５を有するものとしても良い。この構成によって、利用者が、受付プロセスにおいて、撮影室８１または編集室８２で再生する楽曲を画像印刷装置１が予め用意してある楽曲の中から選択する変わりに、楽曲作成装置９５を用いて楽曲を作成できるようにし、且つ当該作成した楽曲を撮影室８１または編集室８２で再生するように指定できるようにする。楽曲作成装置９５は、例えば利用者の演奏操作と対応した音響情報を生成すると共に、当該生成した音響情報をアナログ信号またはデジタル信号として出力する電子楽器である。この楽曲作成装置９５には、例えば電子キーボード、電子パーカッション、電子ギター、電子バイオリン等の既存の電子楽器を利用して良い。撮影室８１または編集室８２において自作楽曲の再生を望む利用者は、受付プロセスにおいて楽曲作成装置９５を演奏操作する。楽曲作成装置９５は、当該演奏操作と対応した音響情報を生成すると共に、当該生成した音響情報をアナログ信号またはデジタル信号として出力する。出力された信号は、例えば制御部１２の一時記憶装置４５に記録される。尚、楽曲作成装置９５からアナログ信号が出力される場合は例えばＡ／Ｄ変換器により当該アナログ信号をデジタル信号に変換して一時記憶装置４５に記録するようにする。当該記録されたデータはデモ用楽曲再生装置１９に転送され、その場でデモ用楽曲再生装置１９により再生することができ、利用者はデモ再生をスピーカから若しくはヘッドホンから聴いて確認しながら、楽曲の制作を行なえる。内容が確定した利用者制作の楽曲は、一時記憶装置４５の利用者個別記録領域に記録される。利用者個別記録領域に記録された利用者制作の楽曲は、当該楽曲を制作した利用者に対する撮影プロセスまたは編集プロセスの楽曲再生処理の中で再生される。尚、例えば利用者が入力手段１８を用いて、自作した楽曲を撮影室８１と編集室８２のどちらで再生するか、指定できるようにしても良い。また、例えば画像印刷装置１が予め用意してある楽曲と利用者が制作した楽曲とを組み合わせて、例えば画像印刷装置１が予め用意してある楽曲に、利用者が受付装置６で演奏した楽曲作成装置９５の音をのせて、撮影プロセスまたは編集プロセスの中で楽曲再生するようにしても良い。
【０１９５】
また、例えば図４６に示すように、受付装置６は楽曲読取装置９６を有するものとしても良い。この構成によって、利用者が、受付プロセスにおいて、撮影室８１または編集室８２で再生する楽曲を画像印刷装置１が予め用意してある楽曲の中から選択する変わりに、予め用意した楽曲、例えば利用者自作の楽曲を撮影室８１または編集室８２で再生するように指定できるようにする。楽曲読取装置９６は、例えば利用者が予め用意した楽曲や利用者が前もって制作した楽曲のデータが記録された記録媒体（例えばＣＤ，ＭＤ，カセット等）から、当該記録された楽曲データを読み出す媒体読取装置である。但し、楽曲読取装置９６は、例えば利用者が予め用意した楽曲や利用者が前もって制作した楽曲のデータが記録された携帯情報端末に対し、赤外線や電波による無線通信又はケーブル接続による有線通信を行ないうことで当該記録された楽曲データを読み出す受信装置であっても良い。撮影室８１または編集室８２において自らが予め用意した楽曲の再生を望む利用者は、受付プロセスにおいて当該用意した楽曲を楽曲読取装置９６に読み取らせる。楽曲読取装置９６に読み取られた楽曲データは、例えば制御部１２の一時記憶装置４５の利用者個別記録領域に記録される。利用者個別記録領域に記録された利用者が用意した楽曲は、当該利用者に対する撮影プロセスまたは編集プロセスの楽曲再生処理の中で再生される。尚、例えば利用者が入力手段１８を用いて、用意した楽曲を撮影室８１と編集室８２のどちらで再生するか、指定できるようにしても良い。また、例えば画像印刷装置１が予め用意してある楽曲と利用者が用意してきた楽曲とを組み合わせて、例えば画像印刷装置１が予め用意してある楽曲に、利用者が用意してきた自作音楽の音をのせて、撮影プロセスまたは編集プロセスの中で楽曲再生するようにしても良い。
【図面の簡単な説明】
【０１９６】
【図１】本発明の楽曲演奏装置付き画像印刷装置の実施の一形態を示す概略斜視図である。
【図２】上記装置の視点を変えた概略斜視図である。
【図３】上記装置の更に視点を変えた概略斜視図である。
【図４】上記装置のハードウェア構成の一例を示すブロック図である。
【図５】受付プロセスの処理の一例を示すフローチャートである。
【図６】受付プロセスにおけるプレイ条件設定処理を詳細化したフローチャートの一例である。
【図７】撮影プロセスの処理の一例を示すフローチャートである。
【図８】撮影プロセスにおける撮影処理を詳細化したフローチャートの一例である。
【図９】撮影プロセスにおける楽曲再生処理を詳細化したフローチャートの一例である。
【図１０】編集プロセスの処理の一例を示すフローチャートである。
【図１１】編集プロセスにおける編集処理を詳細化したフローチャートの一例である。
【図１２】編集プロセスにおける楽曲再生処理を詳細化したフローチャートの一例である。
【図１３】本発明の楽曲演奏装置付き画像印刷装置の第２の実施形態を示し、受付プロセスにおけるプレイ条件設定処理の他の例を示すフローチャートである。
【図１４】本発明の楽曲演奏装置付き画像印刷装置の第２の実施形態を示し、撮影プロセスの処理の他の例を示すフローチャートである。
【図１５】本発明の楽曲演奏装置付き画像印刷装置の第３の実施形態を示す概略斜視図である。
【図１６】上記第３の実施形態における撮影プロセスの処理の一例を示すフローチャートである。
【図１７】本発明の楽曲演奏装置付き画像印刷装置の第４の実施形態を示す概略斜視図である。
【図１８】受付装置が表示する楽曲選択用画面の一例を示す図である。
【図１９】受付装置が表示する楽曲選択用画面の他の例を示す図である。
【図２０】受付装置が表示する楽曲選択用画面の他の例を示す図である。
【図２１】受付装置が表示する楽曲選択用画面の他の例を示す図である。
【図２２】受付装置が表示する楽曲選択用画面の他の例を示す図である。
【図２３】受付装置が表示する楽曲編集用画面の一例を示す図である。
【図２４】図２３の画面において楽曲編集操作が行なわれている様子を示す図である。
【図２５】本発明の楽曲演奏装置付き画像印刷装置の第５の実施形態の一例を示し、ハードウェア構成の他の例を示すブロック図である。
【図２６】本発明の楽曲演奏装置付き画像印刷装置の第５の実施形態の他の例を示し、ハードウェア構成の他の例を示すブロック図である。
【図２７】本発明の楽曲演奏装置付き画像印刷装置の第６の実施形態を示し、受付プロセスにおける処理の他の例を示すフローチャートである。
【図２８】本発明の楽曲演奏装置付き画像印刷装置の第６の実施形態を示し、撮影プロセスにおける処理の他の例を示すフローチャートである。
【図２９】本発明の楽曲演奏装置付き画像印刷装置の第６の実施形態を示し、編集プロセスにおける処理の他の例を示すフローチャートである。
【図３０】本発明の楽曲演奏装置付き画像印刷装置の第６の実施形態の他の例を示し、撮影プロセスにおける処理を示すフローチャートである。
【図３１】本発明の楽曲演奏装置付き画像印刷装置の第６の実施形態の他の例を示し、編集プロセスにおける処理を示すフローチャートである。
【図３２】本発明の楽曲演奏装置付き画像印刷装置の第７の実施形態を示し、撮影プロセスにおける処理の他の例を示すフローチャートである。
【図３３】本発明の楽曲演奏装置付き画像印刷装置の第７の実施形態を示し、編集プロセスにおける処理の他の例を示すフローチャートである。
【図３４】図３２の撮影プロセスで行なわれる撮影時間カウント処理を詳細化したフローチャートの一例である。
【図３５】図３３の編集プロセスで行なわれる編集時間カウント処理を詳細化したフローチャートの一例である。
【図３６】本発明の楽曲演奏装置付き画像印刷装置の第７の実施形態の他の例を示し、撮影プロセスにおける処理を示すフローチャートである。
【図３７】本発明の楽曲演奏装置付き画像印刷装置の第７の実施形態の他の例を示し、編集プロセスにおける処理を示すフローチャートである。
【図３８】撮影時間カウント処理の他の例を示すフローチャートである。
【図３９】編集時間カウント処理の他の例を示すフローチャートである。
【図４０】本発明の楽曲演奏装置付き画像印刷装置の第７の実施形態の他の例を示し、受付プロセスにおける処理を示すフローチャートである。
【図４１】図４０の受付プロセスで行なわれるプレイ条件設定処理の一例を示すフローチャートである。
【図４２】撮影部移動案内手段の処理の一例を示すフローチャートである。
【図４３】撮影時間カウント処理の他の例を示すフローチャートである。
【図４４】編集時間カウント処理の他の例を示すフローチャートである。
【図４５】本発明の楽曲演奏装置付き画像印刷装置の第８の実施形態の一例を示し、ハードウェア構成の他の例を示すブロック図である。
【図４６】本発明の楽曲演奏装置付き画像印刷装置の第９の実施形態の一例を示し、ハードウェア構成の他の例を示すブロック図である。
【符号の説明】
【０１９７】
１  画像印刷装置
２  受付部
３  撮影室（撮影部）
４  編集室（編集部）
５  出力部
６  受付装置
７  撮影装置
８  第１楽曲演奏装置
９  編集装置
１０  第２楽曲演奏装置
１１  プリンタ（出力装置）
１２  制御部
１６  硬貨受付機（意思確認手段）
１７  受付用モニタ（表示装置）
１８  入力手段
１９  デモ用楽曲再生装置
２０  スピーカ（音声出力装置）
２１  待ち時間表示装置
２２  楽曲記録装置
２３  再生装置
２４  アンプ
２５  スピーカ（音声出力装置）
２６  カラオケ用モニタ（表示装置）
２７  マイクロホン（音声入力装置）
２８  ＣＣＤカメラ（撮像手段）
２９  照明装置
３０  撮影用モニタ（表示装置）
３１  シャッタ手段
３８  落書用モニタ（表示装置）
３９  落書入力装置
３９ａ  タッチパネル
３９ｂ  落書ペン
４０  落書コントローラ（コントローラ）
【図４】
2005102102.tif 000003
【図５】
2005102102.tif 000004
【図６】
2005102102.tif 000005
【図７】
2005102102.tif 000006
【図８】
2005102102.tif 000007
【図９】
2005102102.tif 000008
【図１０】
2005102102.tif 000009
【図１１】
2005102102.tif 000010
【図１２】
2005102102.tif 000011
【図１３】
2005102102.tif 000012
【図１４】
2005102102.tif 000013
【図１６】
2005102102.tif 000014
【図１８】
2005102102.tif 000015
【図１９】
2005102102.tif 000016
【図２０】
2005102102.tif 000017
【図２１】
2005102102.tif 000018
【図２２】
2005102102.tif 000019
【図２３】
2005102102.tif 000020
【図２４】
2005102102.tif 000021
【図２５】
2005102102.tif 000022
【図２６】
2005102102.tif 000023
【図２７】
2005102102.tif 000024
【図２８】
2005102102.tif 000025
【図２９】
2005102102.tif 000026
【図３０】
2005102102.tif 000027
【図３１】
2005102102.tif 000028
【図３２】
2005102102.tif 000029
【図３３】
2005102102.tif 000030
【図３４】
2005102102.tif 000031
【図３５】
2005102102.tif 000032
【図３６】
2005102102.tif 000033
【図３７】
2005102102.tif 000034
【図３８】
2005102102.tif 000035
【図３９】
2005102102.tif 000036
【図４０】
2005102102.tif 000037
【図４１】
2005102102.tif 000038
【図４２】
2005102102.tif 000039
【図４３】
2005102102.tif 000040
【図４４】
2005102102.tif 000041
【図４５】
2005102102.tif 000042
【図４６】
2005102102.tif 000043
【図１】
2005102102.tif 000044
【図２】
2005102102.tif 000045
【図３】
2005102102.tif 000046
【図１５】
2005102102.tif 000047
【図１７】
2005102102.tif 000048